(57)【要約】【課題】第１加熱機器及び第２加熱機器が互いにどのような熱媒の加熱制御を行っているのかを知ることができなくても、熱消費端末に対して適切な温度の熱媒を供給できる熱媒加熱システムを提供する。【解決手段】熱媒加熱システムであって、第１加熱機器２０は、熱を発生する第１熱源部Ｈと、第１熱源部Ｈから供給される熱により昇温された第１熱媒と熱消費用熱媒循環路Ｌ１を通って熱消費端末１０から流れてきた熱消費用熱媒との熱交換を行う第１加熱部２１とを有し、第１加熱部２１に供給する第１熱媒の温度を目標温度に調節し、第２加熱機器４０は、熱消費用熱媒を加熱可能な第２加熱部４１と、第２加熱部４１よりも下流側で熱消費用熱媒の温度を測定する第１温度測定手段Ｔ１とを有し、第１温度測定手段Ｔ１で測定される熱消費用熱媒の温度が目標温度になるように加熱作動する。【選択図】図１
2019020114.tif 000002
【特許請求の範囲】
【請求項１】
熱消費端末に供給する熱消費用熱媒を加熱する熱媒加熱システムであって、
予め定められた或る目標温度で前記熱消費端末に供給される前記熱消費用熱媒が循環する熱消費用熱媒循環路と、
前記熱消費用熱媒循環路の途中で、前記熱消費端末で熱が利用された後の前記熱消費用熱媒を加熱可能な第１加熱機器と、
前記熱消費用熱媒循環路の途中の前記第１加熱機器よりも前記熱消費端末に近い下流側で、前記熱消費用熱媒を加熱可能な第２加熱機器とを備え、
前記第１加熱機器は、熱を発生する第１熱源部と、当該第１熱源部から供給される熱により昇温された第１熱媒と前記熱消費用熱媒循環路を通って前記熱消費端末から流れてきた前記熱消費用熱媒との熱交換を行う第１加熱部とを有し、前記第１加熱部に供給する前記第１熱媒の温度を、調節可能な範囲で前記或る目標温度に調節し、
前記第２加熱機器は、供給される前記熱消費用熱媒を加熱可能な第２加熱部と、前記第２加熱部よりも下流側で前記熱消費用熱媒の温度を測定する第１温度測定手段とを有し、前記熱消費端末が運転されているとき、前記第１温度測定手段で測定される前記熱消費用熱媒の温度が前記或る目標温度になるように加熱作動する熱媒加熱システム。
【請求項２】
前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、予め定められた前記或る目標温度が相対的に低い熱消費端末での熱消費量が発生する低温時季であるか否かを判定する時季判定手段を有し、
前記第１加熱機器が、前記時季判定手段によって、低温時季であると判定されている間、前記第１加熱部に供給する前記第１熱媒の温度を、調節可能な範囲で相対的に低い前記或る目標温度に調節し、前記時季判定手段によって、低温時季ではないと判定されている間、前記第１加熱部に供給する前記第１熱媒の温度を、調節可能な範囲で相対的に高い前記或る目標温度に調節する請求項１に記載の熱媒加熱システム。
【請求項３】
熱消費端末に供給する熱消費用熱媒を加熱する熱媒加熱システムであって、
予め定められた或る目標温度で前記熱消費端末に供給される前記熱消費用熱媒が循環する熱消費用熱媒循環路と、
前記熱消費用熱媒循環路の途中で、前記熱消費端末で熱が利用された後の前記熱消費用熱媒を加熱可能な第１加熱機器と、
前記熱消費用熱媒循環路の途中の前記第１加熱機器よりも前記熱消費端末に近い下流側で、前記熱消費用熱媒を加熱可能な第２加熱機器とを備え、
前記第１加熱機器は、熱を発生する第１熱源部、及び、当該第１熱源部から供給される熱により昇温された第１熱媒と前記熱消費用熱媒循環路を通って前記熱消費端末から流れてきた前記熱消費用熱媒との熱交換を行う第１加熱部と、前記熱消費用熱媒循環路を通って前記熱消費端末から流れてきた前記熱消費用熱媒を前記第１加熱部を迂回して前記第２加熱機器へ流すことのできるバイパス流路と、前記第１加熱部を経由して流れる前記熱消費用熱媒の流量と前記バイパス流路を経由して流れる前記熱消費用熱媒の流量とを調節できる流量調節機構と、前記第１加熱部を経由して流れた前記熱消費用熱媒と前記バイパス流路を経由して流れた前記熱消費用熱媒との合流部の下流側での前記熱消費用熱媒の温度を測定する第２温度測定手段とを有し、前記第１加熱部に供給する前記第１熱媒の温度を、調節可能な範囲で前記或る目標温度以上に調節し、前記第２温度測定手段で測定される前記合流部の下流側での前記熱消費用熱媒の温度が前記或る目標温度になるように、前記第１加熱部を経由して流れる前記熱消費用熱媒の流量と前記バイパス流路を経由して流れる前記熱消費用熱媒の流量とを前記流量調節機構によって調節し、
前記第２加熱機器は、供給される前記熱消費用熱媒を加熱可能な第２加熱部と、前記第２加熱部よりも下流側で前記熱消費用熱媒の温度を測定する第１温度測定手段とを有し、前記熱消費端末が運転されているとき、前記第１温度測定手段で測定される前記熱消費用熱媒の温度が前記或る目標温度になるように加熱作動する熱媒加熱システム。
【請求項４】
前記第１加熱機器は、予め定められた前記或る目標温度よりも低い別の目標温度の前記熱消費端末での熱消費量が大きくなる時季であるか否かを判定する時季判定手段を有し、
前記流量調節機構は、前記時季判定手段によって、前記別の目標温度の前記熱消費端末での熱消費量が大きくなる時季ではないと判定されている間、前記熱消費用熱媒を全て前記バイパス流路を経由して流す状態に調節する請求項３に記載の熱媒加熱システム。
【請求項５】
前記熱消費用熱媒循環路は、前記或る目標温度が相対的に低い熱消費端末及び前記或る目標温度が相対的に高い熱消費端末の双方に、前記熱消費用熱媒を供給可能に構成され、
前記第１加熱機器は、予め定められた前記或る目標温度が相対的に低い熱消費端末での熱消費量が発生する低温時季であるか否かを判定する時季判定手段を有し、
前記第１加熱機器が、前記第１加熱部に供給する前記第１熱媒の温度を、調節可能な範囲で相対的に高い前記或る目標温度以上に調節すると共に、
前記流量調節機構は、前記時季判定手段によって、低温時季であると判定されている間、前記第２温度測定手段で測定される前記合流部の下流側での前記熱消費用熱媒の温度が相対的に低い前記或る目標温度になるように、前記第１加熱部を経由して流れる前記熱消費用熱媒の流量と前記バイパス流路を経由して流れる前記熱消費用熱媒の流量とを調節し、前記時季判定手段によって、低温時季ではないと判定されている間、前記第２温度測定手段で測定される前記合流部の下流側での前記熱消費用熱媒の温度が相対的に高い前記或る目標温度になるように、前記第１加熱部を経由して流れる前記熱消費用熱媒の流量と前記バイパス流路を経由して流れる前記熱消費用熱媒の流量とを調節する請求項３に記載の熱媒加熱システム。
【請求項６】
前記第１加熱機器は、ユーザーが、前記熱消費用熱媒を前記第１加熱部を経由して流す状態、又は、前記熱消費用熱媒を全て前記バイパス流路を経由して流す状態に切り替えるかを入力可能なバイパス切替入力手段を有し、
前記流量調節機構は、前記時季判定手段の判定結果よりも、前記バイパス切替入力手段により行われたユーザー入力を優先して、前記熱消費用熱媒を前記第１加熱部を経由して流す状態、又は、前記熱消費用熱媒を全て前記バイパス流路を経由して流す状態に切り替わる請求項４又は５に記載の熱媒加熱システム。
【請求項７】
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度よりも低い別の目標温度の前記熱消費端末での熱消費量が大きくなる時季であるか否かを判定する時季判定手段とを有し、
前記流路切替機構は、前記時季判定手段によって、前記別の目標温度の前記熱消費端末での熱消費量が大きくなる時季であると判定されている間、前記熱消費用熱媒を全て前記第１加熱部を経由して流す状態に切り替わり、前記時季判定手段によって、前記別の目標温度の前記熱消費端末での熱消費量が大きくなる時季ではないと判定されている間、前記熱消費用熱媒を全て前記バイパス流路を経由して流す状態に切り替わる請求項１に記載の熱媒加熱システム。
【請求項８】
前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段とを有し、
前記第１加熱機器が、前記第１加熱部に供給する前記第１熱媒の温度を、調節可能な範囲で相対的に高い前記或る目標温度に調節する場合には、前記流路切替機構は、前記時季判定手段によって、低温時季であると判定されている間、前記熱消費用熱媒を全て前記バイパス流路を経由して流す状態に切り替わり、かつ、前記時季判定手段によって、低温時季ではないと判定されている間、前記熱消費用熱媒を全て前記第１加熱部を経由して流す状態に切り替わる請求項１に記載の熱媒加熱システム。
【請求項９】
前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段をと有し、
前記第１加熱機器が、前記第１加熱部に供給する前記第１熱媒の温度を、調節可能な範囲で相対的に低い前記或る目標温度に調節する場合には、前記流路切替機構は、前記時季判定手段によって、低温時季であると判定されている間、前記熱消費用熱媒を全て前記第１加熱部を経由して流す状態に切り替わり、かつ、前記時季判定手段によって、低温時季ではないと判定されている間、前記熱消費用熱媒を全て前記バイパス流路を経由して流す状態に切り替わる請求項１に記載の熱媒加熱システム。
【請求項１０】
前記第１加熱機器は、ユーザーが、前記熱消費用熱媒を全て前記第１加熱部を経由して流す状態、又は、前記熱消費用熱媒を全て前記バイパス流路を経由して流す状態に切り替えるかを入力可能なバイパス切替入力手段を有し、
前記流路切替機構は、前記時季判定手段の判定結果よりも、前記バイパス切替入力手段により行われたユーザー入力を優先して、前記熱消費用熱媒を全て前記第１加熱部を経由して流す状態、又は、前記熱消費用熱媒を全て前記バイパス流路を経由して流す状態に切り替わる請求項７から９の何れか一項に記載の熱媒加熱システム。
【請求項１１】
前記時季判定手段は、暦上の現在の月日に基づいて前記判定を行う請求項２、４から１０の何れか一項に記載の熱媒加熱システム。
【請求項１２】
外気温との相関を有する温度情報を取得する外気温相関情報取得手段を備え、
前記時季判定手段は、前記外気温相関情報取得手段が取得した前記温度情報に基づいて前記判定を行う請求項２、４から１０の何れか一項に記載の熱媒加熱システム。
【請求項１３】
前記第１加熱機器は、コージェネレーション装置及びヒートポンプ装置及び太陽熱温水装置の少なくとも一つ以上を備えて構成されており、
前記第２加熱機器は、燃焼式給湯暖房機及び電気ヒータの少なくとも一つ以上を備えて構成されており、
前記熱消費端末は、床暖房装置及び浴室暖房乾燥機及びデシカント空調機の少なくとも一つ以上を備えて構成されている請求項１から１２の何れか一項に記載の熱媒加熱システム。
【発明の詳細な説明】
【技術分野】
【０００１】
本発明は、熱消費端末に供給する熱消費用熱媒を加熱する熱媒加熱システムに関する。
【背景技術】
【０００２】
特許文献１（特開２０１６−２０５７９８号公報）には、二つの加熱機器によって湯を加熱して、その湯を給湯で利用させる熱媒加熱システムが記載されている。この熱媒加熱システムは給湯栓（６９）に湯を供給するためのシステムであり、熱源となる燃料電池を有する第１加熱機器（発電ユニット）で加熱した湯を、更に第２加熱機器（給湯器（Ｗｈ））で加熱する構成になっている。具体的には、第１加熱機器から第２加熱機器へと供給される湯は３０℃程度であり、第２加熱機器でその３０℃程度の湯を更に加熱して給湯栓（６９）に供給する。このように、第１加熱機器は、第２加熱機器へと供給する湯を予め比較的低温の湯に調節しているので、第１加熱機器と第２加熱機器との間で例えば湯の温度情報などをやり取りしなくても構わない。第１加熱機器が上述のような動作を行うことで、例えば、第２加熱機器（給湯器（Ｗｈ））が既に設置されている場所に後から第１加熱機器を追加で設置するとしても、第２加熱機器は第１加熱機器が設置される前と同じ動作を行っていればよい。
【０００３】
特許文献２（特開２００６−３４９３０１号公報）には、暖房器具（４）などの熱消費端末に供給する熱媒を加熱する熱媒加熱システムが記載されている。具体的には、特許文献２のシステムにおいて、熱消費端末としての暖房器具（４）に供給される熱媒は２つの加熱機器、即ち、燃料電池ユニット（１）から回収した熱が供給される第２の熱交換器（Ｈｘ２）と、バーナー（３１）で発生した熱が供給される熱交換器（３４）とで加熱される。但し、特許文献２のシステムは、燃料電池ユニット（１）及び第２の熱交換器（Ｈｘ２）及びバーナー（３１）及び熱交換器（３４）などが一体化されたシステムであり、その一部を後から追加で設置するようなシステムではない。
【０００４】
特許文献３（特開２０１２−１０７７９３号公報）の段落００６７には、熱消費端末（暖房負荷）に対して供給する熱媒を二つの加熱機器で加熱する熱媒加熱システムが記載されている。つまり、特許文献３の熱媒加熱システムは、熱消費端末（暖房負荷）に供給される熱消費用熱媒が循環する熱消費用熱媒循環路（循環路１５）と、熱消費用熱媒循環路の途中で、熱消費端末で熱が利用された後の熱消費用熱媒を加熱可能な第１加熱機器（暖房負荷熱交換器１４）と、熱消費用熱媒循環路の途中の第１加熱機器よりも熱消費端末に近い下流側で、熱消費用熱媒を加熱可能な第２加熱機器（ガス給湯暖房機６）とを備えている。
【先行技術文献】
【特許文献】
【０００５】
【特許文献１】特開２０１６−２０５７９８号公報
【特許文献２】特開２００６−３４９３０１号公報
【特許文献３】特開２０１２−１０７７９３号公報
【発明の概要】
【発明が解決しようとする課題】
【０００６】
特許文献３には、熱消費端末（暖房負荷）に対して供給する熱媒を二つの加熱機器で加熱することは記載されているものの、具体的に、熱消費端末に熱を供給するために循環している熱媒の温度を、第１加熱機器と第２加熱機器とを用いてどのように調節するのかは記載されていない。
特に、第１加熱機器と第２加熱機器とが情報通信を行うことができない構成の場合、第１加熱機器での熱媒の加熱制御と、第２加熱機器での熱媒の加熱制御との調和が図られていなければならないが、特許文献３に記載のシステムでは、第１加熱機器と第２加熱機器とを用いて、熱消費端末に供給する熱媒の温度をどのように調節すればよいのかが不明である。
【０００７】
本発明は、上記の課題に鑑みてなされたものであり、その目的は、第１加熱機器及び第２加熱機器が互いにどのような熱媒の加熱制御を行っているのかを知ることができなくても、熱消費端末に対して適切な温度の熱媒を供給できる熱媒加熱システムを提供する点にある。
【課題を解決するための手段】
【０００８】
上記目的を達成するための本発明に係る熱媒加熱システムの特徴構成は、熱消費端末に供給する熱消費用熱媒を加熱する熱媒加熱システムであって、
予め定められた或る目標温度で前記熱消費端末に供給される前記熱消費用熱媒が循環する熱消費用熱媒循環路と、
前記熱消費用熱媒循環路の途中で、前記熱消費端末で熱が利用された後の前記熱消費用熱媒を加熱可能な第１加熱機器と、
前記熱消費用熱媒循環路の途中の前記第１加熱機器よりも前記熱消費端末に近い下流側で、前記熱消費用熱媒を加熱可能な第２加熱機器とを備え、
前記第１加熱機器は、熱を発生する第１熱源部と、当該第１熱源部から供給される熱により昇温された第１熱媒と前記熱消費用熱媒循環路を通って前記熱消費端末から流れてきた前記熱消費用熱媒との熱交換を行う第１加熱部とを有し、前記第１加熱部に供給する前記第１熱媒の温度を、調節可能な範囲で前記或る目標温度に調節し、
前記第２加熱機器は、供給される前記熱消費用熱媒を加熱可能な第２加熱部と、前記第２加熱部よりも下流側で前記熱消費用熱媒の温度を測定する第１温度測定手段とを有し、前記熱消費端末が運転されているとき、前記第１温度測定手段で測定される前記熱消費用熱媒の温度が前記或る目標温度になるように加熱作動する点にある。
【０００９】
上記特徴構成によれば、第２加熱機器は、供給される熱消費用熱媒を加熱可能な第２加熱部よりも下流側で熱消費用熱媒の温度を測定する第１温度測定手段を有する。そして、第２加熱機器は、第１温度測定手段が測定する加熱後の熱消費用熱媒の温度がその目標温度になるように加熱作動する。つまり、第２加熱機器は、熱消費用熱媒を第２加熱部で加熱する必要があるか否かを自身で判断して、調節された温度の熱消費用熱媒が熱消費端末に対して供給されるように動作できる。
【００１０】
加えて、第１加熱機器では、第１加熱部において、第１熱源部から供給される熱により、調節可能な範囲で目標温度に調節された第１熱媒と熱消費用熱媒循環路を通って熱消費端末から流れてきた熱消費用熱媒との熱交換が行われる。
以下ではまず、第１熱媒を目標温度に調節可能である場合について説明する。この場合、第１加熱部において、熱消費用熱媒は目標温度の第１熱媒と熱交換するので、その熱交換後の熱消費用熱媒の温度は目標温度に近い温度になる。その結果、目標温度に近い温度の熱消費用熱媒が、第１加熱機器から第２加熱機器へと熱消費用熱媒循環路を通って供給され、上述したように第２加熱機器において必要に応じて熱消費用熱媒の加熱が行われるようになる。
次に、第１熱媒を目標温度に調節可能でない場合について説明する。この場合、第１加熱部において、熱消費用熱媒は目標温度に達しない第１熱媒と熱交換するので、その熱交換後の熱消費用熱媒の温度は目標温度に達しない温度になる。その結果、目標温度に達しない温度の熱消費用熱媒が、第１加熱機器から第２加熱機器へと熱消費用熱媒循環路を通って供給され、上述したように第２加熱機器において目標温度まで熱消費用熱媒の加熱が行われるようになる。
また、第１加熱機器は、コージェネレーション装置、ヒートポンプ装置、太陽熱温水装置の少なくとも一つ以上を備えた構成にすることができ、第２加熱機器は、燃焼式給湯暖房機、電気ヒータの少なくとも一つ以上を備えた構成にすることができ、熱消費端末は、床暖房装置、浴室暖房乾燥機、デシカント空調機の少なくとも一つ以上を備えた構成にすることができる。
従って、第１加熱機器及び第２加熱機器が互いにどのような熱媒の加熱制御を行っているのかを知ることができなくても、熱消費端末に対して適切な温度の熱媒を供給できる熱媒加熱システムを提供できる。よって、例えば、第２加熱機器と熱消費端末とが既に設置されている場所に、第２加熱機器と情報のやり取りを行うことができない第１加熱機器を追加で設置することになっても、熱消費端末に対して適切な温度の熱媒を供給できる。
【００１１】
本発明に係る熱媒加熱システムの別の特徴構成は、前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、予め定められた前記或る目標温度が相対的に低い熱消費端末での熱消費量が発生する低温時季であるか否かを判定する時季判定手段を有し、
前記第１加熱機器が、前記時季判定手段によって、低温時季であると判定されている間、前記第１加熱部に供給する前記第１熱媒の温度を、調節可能な範囲で相対的に低い前記或る目標温度に調節し、前記時季判定手段によって、低温時季ではないと判定されている間、前記第１加熱部に供給する前記第１熱媒の温度を、調節可能な範囲で相対的に高い前記或る目標温度に調節する点にある。
【００１２】
一年の中には、予め定められた或る目標温度が相対的に低い熱消費端末での熱消費量が発生する低温時季が存在する。例えば、熱消費端末には、上述のように床暖房装置や浴室暖房乾燥機やデシカント空調機などがあり、その内、冬季に暖房目的で運転される床暖房装置については、供給する熱消費用熱媒の目標温度が相対的に低く（例えば４０℃等）設定され、ほぼ一年を通して運転される浴室暖房乾燥機やデシカント空調機については、供給する熱消費用熱媒の目標温度が相対的に高く（例えば８０℃等）設定されている。
そこで本特徴構成では、第１加熱機器が、時季判定手段によって、低温時季であると判定されている間、第１加熱部に供給する第１熱媒の温度を、調節可能な範囲で相対的に低い或る目標温度に調節し、時季判定手段によって、低温時季ではないと判定されている間、第１加熱部に供給する第１熱媒の温度を、調節可能な範囲で相対的に高い或る目標温度に調節する。つまり、低温時季であると判定されている間は、第１熱媒が相対的に高い目標温度に調節されることがなくなり、熱消費用熱媒を相対的に高い目標温度まで加熱（過加熱）することを防ぐことができ、低温時季ではないと判定されている間は、第１熱媒が相対的に高い目標温度に調節されるため、適切に熱消費用熱媒を相対的に高い目標温度まで加熱することができる。
【００１３】
本発明に係る熱媒加熱システムの更に別の特徴構成は、熱消費端末に供給する熱消費用熱媒を加熱する熱媒加熱システムであって、
予め定められた或る目標温度で前記熱消費端末に供給される前記熱消費用熱媒が循環する熱消費用熱媒循環路と、
前記熱消費用熱媒循環路の途中で、前記熱消費端末で熱が利用された後の前記熱消費用熱媒を加熱可能な第１加熱機器と、
前記熱消費用熱媒循環路の途中の前記第１加熱機器よりも前記熱消費端末に近い下流側で、前記熱消費用熱媒を加熱可能な第２加熱機器とを備え、
前記第１加熱機器は、熱を発生する第１熱源部、及び、当該第１熱源部から供給される熱により昇温された第１熱媒と前記熱消費用熱媒循環路を通って前記熱消費端末から流れてきた前記熱消費用熱媒との熱交換を行う第１加熱部と、前記熱消費用熱媒循環路を通って前記熱消費端末から流れてきた前記熱消費用熱媒を前記第１加熱部を迂回して前記第２加熱機器へ流すことのできるバイパス流路と、前記第１加熱部を経由して流れる前記熱消費用熱媒の流量と前記バイパス流路を経由して流れる前記熱消費用熱媒の流量とを調節できる流量調節機構と、前記第１加熱部を経由して流れた前記熱消費用熱媒と前記バイパス流路を経由して流れた前記熱消費用熱媒との合流部の下流側での前記熱消費用熱媒の温度を測定する第２温度測定手段とを有し、前記第１加熱部に供給する前記第１熱媒の温度を、調節可能な範囲で前記或る目標温度以上に調節し、前記第２温度測定手段で測定される前記合流部の下流側での前記熱消費用熱媒の温度が前記或る目標温度になるように、前記第１加熱部を経由して流れる前記熱消費用熱媒の流量と前記バイパス流路を経由して流れる前記熱消費用熱媒の流量とを前記流量調節機構によって調節し、
前記第２加熱機器は、供給される前記熱消費用熱媒を加熱可能な第２加熱部と、前記第２加熱部よりも下流側で前記熱消費用熱媒の温度を測定する第１温度測定手段とを有し、前記熱消費端末が運転されているとき、前記第１温度測定手段で測定される前記熱消費用熱媒の温度が前記或る目標温度になるように加熱作動する点にある。
【００１４】
上記特徴構成によれば、第２加熱機器は、供給される熱消費用熱媒を加熱可能な第２加熱部よりも下流側で熱消費用熱媒の温度を測定する第１温度測定手段を有する。そして、第２加熱機器は、第１温度測定手段が測定する加熱後の熱消費用熱媒の温度がその目標温度になるように加熱作動する。つまり、第２加熱機器は、熱消費用熱媒を第２加熱部で加熱する必要があるか否かを自身で判断して、熱消費端末に対して目標温度の熱消費用熱媒が供給されるように動作できる。
【００１５】
加えて、第１加熱機器では、第１加熱部において、第１熱源部から供給される熱により、調節可能な範囲で目標温度以上に調節された第１熱媒と熱消費用熱媒循環路を通って熱消費端末から流れてきた熱消費用熱媒との熱交換が行われる。
以下ではまず、第１熱媒を目標温度以上に調節可能である場合について説明する。この場合、第１加熱部において、熱消費用熱媒は目標温度以上の第１熱媒と熱交換するので、その熱交換後の熱消費用熱媒の温度は目標温度に近い温度又は目標温度以上になる。
更に、第１加熱機器は、熱消費用熱媒を第１加熱部を迂回して流すことのできるバイパス流路を有しているため、第１加熱部を経由して流れた熱消費用熱媒については目標温度に近い温度又は目標温度以上にすることができ、バイパス流路を流れた熱消費用熱媒については第１加熱部による加熱が行われないようにできる。そして、流量調節機構によって、第２温度測定手段で測定される合流部の下流側での熱消費用熱媒の温度が目標温度になるように、第１加熱部を経由して流れる熱消費用熱媒の流量とバイパス流路を経由して流れる熱消費用熱媒の流量とが調節される。その結果、調節された温度の熱消費用熱媒が、第１加熱機器から第２加熱機器へと熱消費用熱媒循環路を通って供給され、上述したように第２加熱機器において必要に応じて熱消費用熱媒の加熱が行われるようになる。
次に、第１熱媒を目標温度以上に調節可能でない場合について説明する。この場合、第１加熱部において、熱消費用熱媒は目標温度に達しない第１熱媒と熱交換するので、その熱交換後の熱消費用熱媒の温度は目標温度に達しない。流量調節機構によって、熱消費用熱媒は全て第１加熱部を経由して流れるが、第２温度測定手段で測定される合流部の下流側での熱消費用熱媒の温度も目標温度に達しない。その結果、目標温度に達しない温度の熱消費用熱媒が、第１加熱機器から第２加熱機器へと熱消費用熱媒循環路を通って供給され、上述したように第２加熱機器において目標温度まで熱消費用熱媒の加熱が行われるようになる。
また、第１加熱機器は、コージェネレーション装置、ヒートポンプ装置、太陽熱温水装置の少なくとも一つ以上を備えた構成にすることができ、第２加熱機器は、燃焼式給湯暖房機、電気ヒータの少なくとも一つ以上を備えた構成にすることができ、熱消費端末は、床暖房装置、浴室暖房乾燥機、デシカント空調機の少なくとも一つ以上を備えた構成にすることができる。
従って、第１加熱機器及び第２加熱機器が互いにどのような熱媒の加熱制御を行っているのかを知ることができなくても、熱消費端末に対して適切な温度の熱媒を供給できる熱媒加熱システムを提供できる。よって、例えば、第２加熱機器と熱消費端末とが既に設置されている場所に、第２加熱機器と情報のやり取りを行うことができない第１加熱機器を追加で設置することになっても、熱消費端末に対して適切な温度の熱媒を供給できる。
【００１６】
本発明に係る熱媒加熱システムの更に別の特徴構成は、前記第１加熱機器は、予め定められた前記或る目標温度よりも低い別の目標温度の前記熱消費端末での熱消費量が大きくなる時季であるか否かを判定する時季判定手段を有し、
前記流量調節機構は、前記時季判定手段によって、前記別の目標温度の前記熱消費端末での熱消費量が大きくなる時季ではないと判定されている間、前記熱消費用熱媒を全て前記バイパス流路を経由して流す状態に調節する点にある。
【００１７】
一年の中には、予め定められた或る目標温度よりも低い別の目標温度の熱消費端末での熱消費量が大きくなる時季と小さくなる時季とが存在する。例えば、熱消費端末には、上述のように床暖房装置や浴室暖房乾燥機やデシカント空調機などがあり、その内、冬季に暖房目的で運転される床暖房装置については、供給する熱消費用熱媒の目標温度が相対的に低く（例えば４０℃等）設定され、ほぼ一年を通して運転される浴室暖房乾燥機やデシカント空調機については、供給する熱消費用熱媒の目標温度が相対的に高く（例えば８０℃等）設定されている。
そこで本特徴構成では、流量調節機構が、時季判定手段によって、予め定められた或る目標温度よりも低い別の目標温度の熱消費端末での熱消費量が大きくなる時季（例えば冬季など）ではないと判定されている間、熱消費用熱媒を全てバイパス流路を経由して流す状態に調節する。つまり、予め定められた或る目標温度よりも低い別の目標温度の熱消費端末で大きな熱量が必要とされていない時季には、熱消費端末に供給する熱消費用熱媒の加熱は、第２加熱機器の第２加熱部のみによって行われる。
【００１８】
本発明に係る熱媒加熱システムの更に別の特徴構成は、前記熱消費用熱媒循環路は、前記或る目標温度が相対的に低い熱消費端末及び前記或る目標温度が相対的に高い熱消費端末の双方に、前記熱消費用熱媒を供給可能に構成され、
前記第１加熱機器は、予め定められた前記或る目標温度が相対的に低い熱消費端末での熱消費量が発生する低温時季であるか否かを判定する時季判定手段を有し、
前記第１加熱機器が、前記第１加熱部に供給する前記第１熱媒の温度を、調節可能な範囲で相対的に高い前記或る目標温度以上に調節すると共に、
前記流量調節機構は、前記時季判定手段によって、低温時季であると判定されている間、前記第２温度測定手段で測定される前記合流部の下流側での前記熱消費用熱媒の温度が相対的に低い前記或る目標温度になるように、前記第１加熱部を経由して流れる前記熱消費用熱媒の流量と前記バイパス流路を経由して流れる前記熱消費用熱媒の流量とを調節し、前記時季判定手段によって、低温時季ではないと判定されている間、前記第２温度測定手段で測定される前記合流部の下流側での前記熱消費用熱媒の温度が相対的に高い前記或る目標温度になるように、前記第１加熱部を経由して流れる前記熱消費用熱媒の流量と前記バイパス流路を経由して流れる前記熱消費用熱媒の流量とを調節する点にある。
【００１９】
一年の中には、予め定められた或る目標温度が相対的に低い熱消費端末での熱消費量が発生する低温時季が存在する。例えば、熱消費端末には、上述のように床暖房装置や浴室暖房乾燥機やデシカント空調機などがあり、その内、冬季に暖房目的で運転される床暖房装置については、供給する熱消費用熱媒の目標温度が相対的に低く（例えば４０℃等）設定され、ほぼ一年を通して運転される浴室暖房乾燥機やデシカント空調機については、供給する熱消費用熱媒の目標温度が相対的に高く（例えば８０℃等）設定されている。
そこで本特徴構成では、流量調節機構が、時季判定手段によって、低温時季であると判定されている間、第２温度測定手段で測定される合流部の下流側での熱消費用熱媒の温度が相対的に低い或る目標温度になるように、第１加熱部を経由して流れる熱消費用熱媒の流量とバイパス流路を経由して流れる熱消費用熱媒の流量とを調節し、時季判定手段によって、低温時季ではないと判定されている間、第２温度測定手段で測定される合流部の下流側での熱消費用熱媒の温度が相対的に高い或る目標温度になるように、第１加熱部を経由して流れる熱消費用熱媒の流量とバイパス流路を経由して流れる熱消費用熱媒の流量とを調節する。つまり、低温時季であると判定されている間、相対的に高い目標温度以上に調節された第１熱媒により、熱消費用熱媒を相対的に高い目標温度まで加熱（過加熱）することを防ぐことができる。
【００２０】
本発明に係る熱媒加熱システムの更に別の特徴構成は、前記第１加熱機器は、ユーザーが、前記熱消費用熱媒を前記第１加熱部を経由して流す状態、又は、前記熱消費用熱媒を全て前記バイパス流路を経由して流す状態に切り替えるかを入力可能なバイパス切替入力手段を有し、
前記流量調節機構は、前記時季判定手段の判定結果よりも、前記バイパス切替入力手段により行われたユーザー入力を優先して、前記熱消費用熱媒を前記第１加熱部を経由して流す状態、又は、前記熱消費用熱媒を全て前記バイパス流路を経由して流す状態に切り替わる点にある。
【００２１】
例えば、熱消費端末が、浴室暖房乾燥機（浴室そのものや衣類などを乾燥させる運転モード）やデシカント空調機である場合、時季に関わらずその熱消費量は大きくなる。そのため、夏季であっても、第１加熱機器の第１加熱部及び第２加熱機器の第２加熱部の両方で熱消費用熱媒を加熱することが好ましい場合が存在する。
そこで本特徴構成では、第１加熱機器は、ユーザーが、熱消費用熱媒を第１加熱部を経由して流す状態、又は、熱消費用熱媒を全てバイパス流路を経由して流す状態に切り替えるかを入力可能なバイパス切替入力手段を有する。そして、流量調節機構は、時季判定手段の判定結果よりも、バイパス切替入力手段により行われたユーザー入力を優先して、熱消費用熱媒を第１加熱部を経由して流す状態、又は、熱消費用熱媒を全てバイパス流路を経由して流す状態に切り替わる。その結果、熱消費用端末に供給する熱消費用熱媒の加熱を、第１加熱機器の第１加熱部及び第２加熱機器の第２加熱部の両方で行うことができる状態と、第２加熱機器の第２加熱部のみで行うことができる状態とを切り替えることができる。
【００２２】
本発明に係る熱媒加熱システムの更に別の特徴構成は、前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度よりも低い別の目標温度の前記熱消費端末での熱消費量が大きくなる時季であるか否かを判定する時季判定手段とを有し、
前記流路切替機構は、前記時季判定手段によって、前記別の目標温度の前記熱消費端末での熱消費量が大きくなる時季であると判定されている間、前記熱消費用熱媒を全て前記第１加熱部を経由して流す状態に切り替わり、前記時季判定手段によって、前記別の目標温度の前記熱消費端末での熱消費量が大きくなる時季ではないと判定されている間、前記熱消費用熱媒を全て前記バイパス流路を経由して流す状態に切り替わる点にある。
【００２３】
一年の中には、予め定められた或る目標温度よりも低い別の目標温度の熱消費端末での熱消費量が大きくなる時季と小さくなる時季とが存在する。例えば、熱消費端末には、上述のように床暖房装置や浴室暖房乾燥機やデシカント空調機などがあり、その内、冬季に暖房目的で運転される床暖房装置については、供給する熱消費用熱媒の目標温度が相対的に低く（例えば４０℃等）設定され、ほぼ一年を通して運転される浴室暖房乾燥機やデシカント空調機については、供給する熱消費用熱媒の目標温度が相対的に高く（例えば８０℃等）設定されている。
そこで本特徴構成では、流路切替機構が、時季判定手段によって、予め定められた或る目標温度よりも低い別の目標温度の熱消費端末での熱消費量が大きくなる時季（例えば冬季など）であると判定されている間、熱消費用熱媒を全て第１加熱部を経由して流す状態に切り替わり、時季判定手段によって、予め定められた或る目標温度よりも低い別の目標温度の熱消費端末での熱消費量が大きくなる時季ではない（例えば冬季以外など）と判定されている間、熱消費用熱媒を全てバイパス流路を経由して流す状態に切り替わる。つまり、予め定められた或る目標温度よりも低い別の目標温度の熱消費端末で大きな熱量が必要とされていない時季には、熱消費端末に供給する熱消費用熱媒の加熱は第２加熱機器の第２加熱部のみによって行われ、予め定められた或る目標温度よりも低い別の目標温度の熱消費端末で大きな熱量が必要とされている時季には、熱消費端末に供給する熱消費用熱媒の加熱は第１加熱機器の第１加熱部及び第２加熱機器の第２加熱部の両方によって行われる。
【００２４】
本発明に係る熱媒加熱システムの更に別の特徴構成は、前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段とを有し、
前記第１加熱機器が、前記第１加熱部に供給する前記第１熱媒の温度を、調節可能な範囲で相対的に高い前記或る目標温度に調節する場合には、前記流路切替機構は、前記時季判定手段によって、低温時季であると判定されている間、前記熱消費用熱媒を全て前記バイパス流路を経由して流す状態に切り替わり、かつ、前記時季判定手段によって、低温時季ではないと判定されている間、前記熱消費用熱媒を全て前記第１加熱部を経由して流す状態に切り替わる点にある。
【００２５】
一年の中には、予め定められた或る目標温度が相対的に低い熱消費端末での熱消費量が発生する低温時季が存在する。
そこで本特徴構成では、第１加熱機器が、第１加熱部に供給する第１熱媒の温度を、調節可能な範囲で相対的に高い或る目標温度に調節する場合には、流路切替機構は、時季判定手段によって、低温時季であると判定されている間、熱消費用熱媒を全てバイパス流路を経由して流す状態に切り替わり、低温時季ではないと判定されている間、熱消費用熱媒を全て第１加熱部を経由して流す状態に切り替わる。つまり、低温時季であると判定されている間、相対的に高い目標温度に調節された第１熱媒により、熱消費用熱媒を相対的に高い目標温度まで加熱（過加熱）することを防ぐことができる。
【００２６】
本発明に係る熱媒加熱システムの更に別の特徴構成は、前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段をと有し、
前記第１加熱機器が、前記第１加熱部に供給する前記第１熱媒の温度を、調節可能な範囲で相対的に低い前記或る目標温度に調節する場合には、前記流路切替機構は、前記時季判定手段によって、低温時季であると判定されている間、前記熱消費用熱媒を全て前記第１加熱部を経由して流す状態に切り替わり、かつ、前記時季判定手段によって、低温時季ではないと判定されている間、前記熱消費用熱媒を全て前記バイパス流路を経由して流す状態に切り替わる点にある。
【００２７】
一年の中には、予め定められた或る目標温度が相対的に低い熱消費端末での熱消費量が発生する低温時季が存在する。
そこで本特徴構成では、第１加熱機器が、第１加熱部に供給する第１熱媒の温度を、調節可能な範囲で相対的に低い或る目標温度に調節する場合には、流路切替機構は、時季判定手段によって、低温時季であると判定されている間、熱消費用熱媒を全て第１加熱部を経由して流す状態に切り替わり、低温時季ではないと判定されている間、熱消費用熱媒を全てバイパス路を経由して流す状態に切り替わる。つまり、低温時季ではないと判定されている間、相対的に高い目標温度の熱消費用熱媒により、相対的に低い目標温度に調節された第１熱媒を加熱（逆加熱）することを防ぐことができる。
【００２８】
本発明に係る熱媒加熱システムの更に別の特徴構成は、前記第１加熱機器は、ユーザーが、前記熱消費用熱媒を全て前記第１加熱部を経由して流す状態、又は、前記熱消費用熱媒を全て前記バイパス流路を経由して流す状態に切り替えるかを入力可能なバイパス切替入力手段を有し、
前記流路切替機構は、前記時季判定手段の判定結果よりも、前記バイパス切替入力手段により行われたユーザー入力を優先して、前記熱消費用熱媒を全て前記第１加熱部を経由して流す状態、又は、前記熱消費用熱媒を全て前記バイパス流路を経由して流す状態に切り替わる点にある。
【００２９】
例えば、熱消費端末が、浴室暖房乾燥機（浴室そのものや衣類などを乾燥させる運転モード）やデシカント空調機である場合、時季に関わらずその熱消費量は大きくなる。そのため、夏季であっても、第１加熱機器の第１加熱部及び第２加熱機器の第２加熱部の両方で熱消費用熱媒を加熱することが好ましい場合が存在する。
そこで本特徴構成では、第１加熱機器は、ユーザーが、熱消費用熱媒を全て第１加熱部を経由して流す状態、又は、熱消費用熱媒を全てバイパス流路を経由して流す状態に切り替えるかを入力可能なバイパス切替入力手段を有する。そして、流路切替機構は、時季判定手段の判定結果よりも、バイパス切替入力手段により行われたユーザー入力を優先して、熱消費用熱媒を全て第１加熱部を経由して流す状態、又は、熱消費用熱媒を全てバイパス流路を経由して流す状態に切り替わる。その結果、熱消費用端末に供給する熱消費用熱媒の加熱を、第１加熱機器の第１加熱部及び第２加熱機器の第２加熱部の両方で行うことができる状態と、第２加熱機器の第２加熱部のみで行うことができる状態とを切り替えることができる。
【００３０】
本発明に係る熱媒加熱システムの更に別の特徴構成は、前記時季判定手段は、暦上の現在の月日に基づいて前記判定を行う点にある。
【００３１】
上記特徴構成によれば、時季判定手段は、暦上の現在の月日に基づいて、予め定められた或る目標温度よりも低い別の目標温度の熱消費端末での熱消費量が大きくなる時季であるのか、或いは、その熱消費端末での熱消費量が小さくなる時季であるのかを適切に判定できる。
また、時季判定手段は、暦上の現在の月日に基づいて、予め定められた或る目標温度が相対的に低い熱消費端末での熱消費量が発生する低温時季であるか否かを適切に判定できる。
【００３２】
本発明に係る熱媒加熱システムの更に別の特徴構成は、外気温との相関を有する温度情報を取得する外気温相関情報取得手段を備え、
前記時季判定手段は、前記外気温相関情報取得手段が取得した前記温度情報に基づいて前記判定を行う点にある。
【００３３】
上記特徴構成によれば、時季判定手段は、温度情報に基づいて、予め定められた或る目標温度よりも低い別の目標温度の熱消費端末での熱消費量が大きくなる時季であるのか、或いは、その熱消費端末での熱消費量が小さくなる時季であるのかを適切に判定できる。
また、時季判定手段は、温度情報に基づいて、予め定められた或る目標温度が相対的に低い熱消費端末での熱消費量が発生する低温時季であるか否かを適切に判定できる。
【図面の簡単な説明】
【００３４】
【図１】第１実施形態の熱媒加熱システムの構成を示す図である。
【図２】第２実施形態の熱媒加熱システムの構成を示す図である。
【図３】第３実施形態の熱媒加熱システムの構成を示す図である。
【図４】第４及び第５実施形態の熱媒加熱システムの構成を示す図である。
【図５】第６実施形態の熱媒加熱システムの構成を示す図である。
【図６】第７〜第９実施形態の熱媒加熱システムの構成を示す図である。
【図７】第１０実施形態の熱媒加熱システムの構成を示す図である。
【図８】第１１実施形態の熱媒加熱システムの構成を示す図である。
【図９】第１２実施形態の熱媒加熱システムの構成を示す図である。
【発明を実施するための形態】
【００３５】
＜第１実施形態＞
以下に図面を参照して本発明の第１実施形態に係る熱媒加熱システムについて説明する。
図１は、第１実施形態の熱媒加熱システムの構成を示す図である。図示するように、熱媒加熱システムは、熱消費端末１０に供給する熱消費用熱媒を加熱するシステムであり、予め定められた或る目標温度で熱消費端末１０に供給される熱消費用熱媒が循環する熱消費用熱媒循環路Ｌ１と、熱消費用熱媒循環路Ｌ１の途中で、熱消費端末１０で熱が利用された後の熱消費用熱媒を加熱可能な第１加熱機器２０と、熱消費用熱媒循環路Ｌ１の途中の第１加熱機器２０よりも熱消費端末１０に近い下流側で、熱消費用熱媒を加熱可能な第２加熱機器４０とを備える。
【００３６】
熱消費端末１０は、熱消費用熱媒が保有する熱を利用する装置であり、床暖房装置、浴室暖房乾燥機、デシカント空調機の少なくとも一つ以上を備えて構成されている。床暖房装置は、熱消費用熱媒から放熱される熱によって床などの資材を暖める装置である。浴室暖房乾燥機は、熱消費用熱媒から放出される熱によって浴室内の空気を暖めることで、浴室内の暖房や乾燥を行う装置である。デシカント空調機は、デシカント素子を用いて空調対象空間の除湿や加湿を行う装置であり、デシカント素子に供給する空気の加熱を行うときに熱消費用熱媒から放出される熱が利用される。例えば、熱消費用熱媒から放出される熱によって加熱した空気を用いてデシカント素子からの水分の脱離を行わせることで、乾燥したデシカント素子と、脱離した水分を含んだ空気が得られる。そして、乾燥したデシカント素子を用いて、空調対象空間に供給する空気中の水分を吸着させることで、空調対象空間の除湿を行うことができる。或いは、脱離した水分を含んだ空気を空調対象空間に供給することで、空調対象空間の加湿を行うことができる。
【００３７】
第１加熱機器２０は、熱を発生する第１熱源部Ｈと、第１熱源部Ｈから供給される熱により昇温された第１熱媒と熱消費用熱媒循環路Ｌ１を通って熱消費端末１０から流れてきた熱消費用熱媒との熱交換を行う第１加熱部２１とを有する。加えて、第１加熱機器２０は、それ自身の動作を制御する第１制御部Ｃ１を有する。本実施形態では、第１加熱機器２０には、熱消費用熱媒循環路Ｌ１に接続される熱消費用熱媒第１流路Ｌ２が設けられる。この熱消費用熱媒第１流路Ｌ２は、熱消費用熱媒循環路Ｌ１を経由して第１加熱機器２０の流入部３３に供給された熱消費用熱媒が、流出部３４から熱消費用熱媒循環路Ｌ１に流出するまでの間に流れる流路である。
【００３８】
第１加熱機器２０は、コージェネレーション装置及びヒートポンプ装置及び太陽熱温水装置の少なくとも一つ以上を備えて構成される。本実施形態の場合、第１加熱機器２０の第１熱源部Ｈが、コージェネレーション装置及びヒートポンプ装置及び太陽熱温水装置の少なくとも一つ以上を備えて構成される。例えば、コージェネレーション装置は、熱と電気とを併せて発生させる装置である。例えば、コージェネレーション装置は、燃料電池を備えて構成され、その燃料電池で発生される電気と熱とを利用するタイプの装置や、エンジンとそのエンジンによって駆動される発電機とを備えて構成され、その発電機から出力される発電電力とエンジンから排出される熱とを利用するタイプの装置などである。
【００３９】
第２加熱機器４０は、熱消費用熱媒を加熱可能な第２加熱部４１と、第２加熱部４１よりも下流側で熱消費用熱媒の温度を測定する第１温度測定手段としての温度センサＴ１とを有する。加えて、第２加熱機器４０は、それ自身の動作を制御する第２制御部Ｃ２を有する。温度センサＴ１の測定結果は第２制御部Ｃ２に伝達される。
【００４０】
本実施形態では、第２加熱機器４０には、熱消費用熱媒循環路Ｌ１に接続される熱消費用熱媒第２流路Ｌ３が設けられる。この熱消費用熱媒第２流路Ｌ３は、熱消費用熱媒循環路Ｌ１を経由して第２加熱機器４０の流入部４２に供給された熱消費用熱媒が、第２加熱部４１を経由して流出部４３から熱消費用熱媒循環路Ｌ１に流出するまでの間に流れる流路である。また、熱消費用熱媒第２流路Ｌ３の途中にはポンプＰ３が設けられており、このポンプＰ３により熱消費用熱媒循環路Ｌ１及び熱消費用熱媒第１流路Ｌ２及び熱消費用熱媒第２流路Ｌ３での熱消費用熱媒の流動が行われる。ポンプＰ３の動作は第２制御部Ｃ２が制御する。
【００４１】
第２加熱機器４０は、燃焼式給湯暖房機及び電気ヒータの少なくとも一つ以上を備えて構成される。燃焼式給湯暖房機は、ガスなどの燃料を燃焼した際に発生する熱を、湯や熱媒の加熱に利用させる装置である。電気ヒータは、通電により発生するジュール熱を、湯や熱媒の加熱に利用させる装置である。本実施形態の場合、第２加熱機器４０の第２加熱部が、燃焼式給湯暖房機及び電気ヒータなどで得られる熱により熱消費用熱媒を加熱可能に構成されている。
【００４２】
本実施形態では、第１加熱機器２０は、第１加熱部２１に供給する第１熱媒の温度を、調節可能な範囲で目標温度に調節する。具体的には、第１加熱機器２０の第１制御部Ｃ１は、温度センサＴ４で測定される湯水の温度、即ち、第１加熱部２１に供給する湯水（第１熱媒）の温度が、調節可能な範囲で目標温度になるようにポンプＰ２の動作を制御する。
以下ではまず、湯水（第１熱媒）を目標温度に調節可能である場合について説明する。
この場合、第１加熱機器２０は、第１熱媒としての湯水が第１熱源部Ｈと第１加熱部２１との間で循環する湯水循環路２５（第１熱媒循環路）と、湯水循環路２５で湯水を循環させる循環手段としてのポンプＰ２を有し、第１加熱部２１に供給する湯水（第１熱媒）の温度が目標温度になるようにポンプＰ２の動作を制御するように構成されている。この目標温度は、第２加熱機器４０から熱消費端末１０に熱消費用熱媒を供給するときに目標とする温度である。例えば、目標温度は、熱消費端末１０毎に設定されており、床暖房装置であれば例えば４０℃、浴室暖房乾燥機であれば８０℃、デシカント空調機であれば８０℃といった値に予め定められている。そして、例えば第１加熱機器２０の設置時に、設置者などが第１加熱機器２０に搭載されているメモリ（図示せず）などにこの目標温度についての情報を予め記憶させておけば、第１制御部Ｃ１はその情報を読み出して利用できる。
【００４３】
第１加熱部２１では、湯水循環路２５を流れる湯水（第１熱媒）と熱消費用熱媒第１流路Ｌ２を流れる熱消費用熱媒とが熱交換する。その結果、湯水によって熱消費用熱媒の昇温が行われる。そして、第１加熱部２１で昇温された熱消費用熱媒は、流出部３４から熱消費用熱媒循環路Ｌ１に供給されて、その後、第２加熱機器４０へと至る。
【００４４】
第２加熱機器４０は、熱消費端末１０が運転されているとき、温度センサＴ１で測定される熱消費用熱媒の温度が目標温度になるように加熱作動する。例えば、リモコン装置（図示せず）などによって熱消費端末１０の運転開始が指令されると、その指令は第２加熱機器４０の第２制御部Ｃ２に伝達される。そして、第２制御部Ｃ２は第２加熱機器４０が有するポンプＰ３を動作させて熱消費用熱媒の流動を開始させる。加えて、上述したのと同様に、第２加熱機器４０に搭載されているメモリ（図示せず）などにもこの目標温度についての情報が予め記憶されており、第２制御部Ｃ２はその情報を読み出して利用する。
従って、第２制御部Ｃ２は、運転開始が指令された各熱消費端末１０に応じた目標温度を設定できる。そして、本実施形態では、第２制御部Ｃ２は、熱消費端末１０が運転されているとき、温度センサＴ１で測定される熱消費用熱媒の温度が目標温度になるように第２加熱部４１を加熱作動させる。
尚、図示は省略するが、予め定められた或る目標温度が相対的に高い熱消費端末１０に熱消費用熱媒を供給する熱消費用熱媒の流出部４３と、予め定められた或る目標温度が相対的に低い熱消費端末１０に熱消費用熱媒を供給する熱消費用熱媒の流出部４３は、２つに分かれており、前者の流出部４３には第２加熱部４１で加熱した熱消費用熱媒をそのまま供給し、後者の流出部４３には第２加熱部４１の加熱後と加熱前の熱消費用熱媒を混合して供給することにより、２つの目標温度に同時に対応することができる。具体的には、例えば、相対的に高い或る目標温度の熱消費端末１０へは、熱消費用熱媒が、ポンプＰ３、熱消費用熱媒第２流路Ｌ３、第２加熱部４１、熱消費用熱媒第２流路Ｌ３、温度センサＴ１、一方側の流出部４３、熱消費用熱媒循環路Ｌ１の順に供給されるように構成されている。また、相対的に低い或る目標温度の熱消費端末１０へは、熱消費用熱媒が、ポンプＰ３、熱消費用熱媒第２流路Ｌ３、第２加熱部４１、熱消費用熱媒第２流路Ｌ３、温度センサＴ１、他方側の流出部４３、熱消費用熱媒循環路Ｌ１の順に供給されるが、ポンプＰ３を通過して熱消費用熱媒第２流路Ｌ３を通流する熱消費用熱媒の一部は加熱部４１を介して温度センサＴ１側へ供給され、当該熱消費用熱媒の他部は加熱部４１を介さずに温度センサＴ１側へ供給されるように構成されている。これにより、熱消費端末１０が、相対的に低い或る目標温度の熱消費端末１０及び相対的に高い或る目標温度の熱消費端末１０を備えている場合でも、熱消費用熱媒を第２加熱機器４０において各熱消費端末１０に応じた目標温度に適切に加熱した状態で供給することができる。
【００４５】
以上のように、第２加熱機器４０は、第１温度測定手段としての温度センサＴ１が測定する加熱後の熱消費用熱媒の温度がその目標温度になるように加熱作動する。つまり、第２加熱機器４０は、熱消費用熱媒を第２加熱部４１で加熱する必要があるか否かを自身で判断して、熱消費端末１０に対して目標温度の熱消費用熱媒が供給されるように動作できる。
加えて、第１加熱機器２０では、第１加熱部２１において、第１熱源部Ｈから供給される熱により目標温度に調節された湯水（第１熱媒）と熱消費用熱媒循環路Ｌ１を通って熱消費端末１０から流れてきた熱消費用熱媒との熱交換が行われる。つまり、第１加熱部２１において、熱消費用熱媒は目標温度の湯水と熱交換するので、その熱交換後の熱消費用熱媒の温度は目標温度に近い温度になる。その結果、目標温度に近い温度の熱消費用熱媒が、第１加熱機器２０から第２加熱機器４０へと熱消費用熱媒循環路Ｌ１を通って供給され、上述したように第２加熱機器４０において必要に応じて熱消費用熱媒の加熱が行われるようになる。
次に、湯水（第１熱媒）を目標温度に調節可能でない場合について説明する。調節可能でない場合とは、例えば、目標温度が８０℃であっても、第１熱源部Ｈの温度やポンプＰ２の出力下限などが制約となって、第１加熱部２１に供給する湯水（第１熱媒）の温度を８０℃まで上昇させられない場合のことである。この場合、第１加熱部２１において、熱消費用熱媒は目標温度に達しない湯水（第１熱媒）と熱交換するので、その熱交換後の熱消費用熱媒の温度は目標温度に達しない温度になる。その結果、目標温度に達しない温度の熱消費用熱媒が、第１加熱機器２０から第２加熱機器４０へと熱消費用熱媒循環路Ｌ１を通って供給され、上述したように第２加熱機器４０において目標温度まで熱消費用熱媒の加熱が行われるようになる。
従って、第１加熱機器２０及び第２加熱機器４０が互いにどのような熱媒の加熱制御を行っているのかを知ることができなくても、熱消費端末１０に対して適切な温度の熱媒を供給できる。また、例えば、第２加熱機器４０と熱消費端末１０とが既に設置されている場所に、第２加熱機器４０と情報のやり取りを行うことができない第１加熱機器２０を追加で設置することになっても、熱消費端末１０に対して適切な温度の熱媒を供給できる。
【００４６】
＜第２実施形態＞
第２実施形態の熱媒加熱システムは、熱消費端末１０に供給する熱消費用熱媒の温度の制御手法が上記第１実施形態と異なっている。以下に第２実施形態の熱媒加熱システムについて説明するが上記第１実施形態と同様の構成については説明を省略する。
【００４７】
図２は、第２実施形態の熱媒加熱システムの構成を示す図である。
一年の中には、予め定められた或る目標温度が相対的に低い熱消費端末１０での熱消費量が発生する低温時季が存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００４８】
そこで、本実施形態では、第１加熱機器２０は、予め定められた或る目標温度が相対的に低い熱消費端末１０での熱消費量が発生する低温時季であるか否かを判定する低温時季判定手段３８（時季判定手段の一例）を有する。なお、図２においては、単に時季判定手段３８と記載する。具体的には、低温時季判定手段３８は、暦上の現在の月日に基づいて、予め定められた相対的に高い或る目標温度よりも相対的に低い或る目標温度の熱消費端末１０での熱消費量が発生する低温時季であるか否かを判定する。例えば、低温時季判定手段３８は、暦上の現在の月日が１月〜４月及び１０月〜１２月であれば、上記床暖房装置などの熱消費端末１０での熱消費量が発生する低温時季であると判定し、暦上の現在の月日が５月〜９月であれば、上記床暖房装置などの熱消費端末１０での熱消費量が発生する低温時季ではないと判定する。
【００４９】
そして、低温時季判定手段３８の判定結果は第１制御部Ｃ１に伝達され、第１制御部Ｃ１は、低温時季判定手段３８によって、低温時季であると判定されている間、第１加熱部２１に供給する第１熱媒の温度を、調節可能な範囲で相対的に低い或る目標温度に調節し、低温時季判定手段３８によって、低温時季ではないと判定されている間、第１加熱部２１に供給する第１熱媒の温度を、調節可能な範囲で相対的に高い或る目標温度に調節する。
具体的には、第１加熱機器２０の第１制御部Ｃ１は、温度センサＴ４で測定される湯水の温度、即ち、第１加熱部２１に供給する湯水（第１熱媒）の温度が、低温時季判定手段３８によって低温時季であると判定されている間は調節可能な範囲で相対的に低い或る目標温度になるようにポンプＰ２の動作を制御し、低温時季判定手段３８によって低温時季ではないと判定されている間は調節可能な範囲で相対的に高い或る目標温度になるようにポンプＰ２の動作を制御する。
これにより、低温時季であると判定されている間は、第１熱媒が相対的に高い目標温度に調節されることがなくなり、熱消費用熱媒を相対的に高い目標温度まで加熱（過加熱）することを防ぐことができ、低温時季ではないと判定されている間は、第１熱媒が相対的に高い目標温度に調節されるため、適切に熱消費用熱媒を相対的に高い目標温度まで加熱することができる。
【００５０】
＜第３実施形態＞
第３実施形態の熱媒加熱システムは、熱消費端末１０に供給する熱消費用熱媒の温度の制御手法が上記第１実施形態と異なっている。以下に第３実施形態の熱媒加熱システムについて説明するが上記第１実施形態と同様の構成については説明を省略する。
【００５１】
図３は、第３実施形態の熱媒加熱システムの構成を示す図である。
本実施形態において、第１加熱機器２０は、熱を発生する第１熱源部Ｈ、及び、第１熱源部Ｈから供給される熱により昇温された湯水（第１熱媒）と熱消費用熱媒循環路Ｌ１を通って熱消費端末１０から流れてきた熱消費用熱媒との熱交換を行う第１加熱部２１と、熱消費用熱媒循環路Ｌ１を通って熱消費端末１０から流れてきた熱消費用熱媒を第１加熱部２１を迂回して第２加熱機器４０へ流すことのできるバイパス流路３５と、第１加熱部２１を経由して流れる熱消費用熱媒の流量とバイパス流路３５を経由して流れる熱消費用熱媒の流量とを調節できる流量調節機構３６と、第１加熱部２１を経由して流れた熱消費用熱媒とバイパス流路３５を経由して流れた熱消費用熱媒との合流部３０の下流側での熱消費用熱媒の温度を測定する第２温度測定手段としての温度センサＴ２とを有する。温度センサＴ２の測定結果は第１制御部Ｃ１に伝達される。
【００５２】
本実施形態では、流量調節機構３６は、第１加熱部２１を経由して流れた熱消費用熱媒とバイパス流路３５を経由して流れた熱消費用熱媒との合流部３０に設けられた混合弁などを用いて構成される。
【００５３】
そして、第１加熱機器２０は、第１加熱部２１に供給する第１熱媒の温度を、調節可能な範囲で目標温度以上に調節する。具体的には、第１加熱機器２０の第１制御部Ｃ１は、ポンプＰ２の動作を制御して、温度センサＴ４で測定される湯水の温度、即ち、第１加熱部２１に供給する湯水（第１熱媒）の温度を、調節可能な範囲で目標温度以上に調節する。
以下ではまず、湯水（第１熱媒）を目標温度以上に調節可能である場合について説明する。この場合、例えば、目標温度が４０℃である場合、第１制御部Ｃ１は、ポンプＰ２の動作を制御して、温度センサＴ４で測定される湯水の温度を７０℃などに調節してもよい。加えて、第１制御部Ｃ１は、温度センサＴ２で測定される合流部３０の下流側での熱消費用熱媒の温度が目標温度になるように、第１加熱部２１を経由して流れる熱消費用熱媒の流量とバイパス流路３５を経由して流れる熱消費用熱媒の流量とを流量調節機構３６によって調節する。例えば、第１制御部Ｃ１は、温度センサＴ２の測定結果を継続的に取得して監視し、温度センサＴ２で測定される温度が目標温度になるように、流量調節機構３６の動作を制御して、第１加熱部２１を経由して流れた相対的に高温の熱消費用熱媒の量とバイパス流路３５を経由して流れた相対的に低温の熱消費用熱媒の量とを調節する。
【００５４】
第２加熱機器４０は、第１実施形態と同様に、熱消費端末１０が運転されているとき、温度センサＴ１で測定される熱消費用熱媒の温度が目標温度になるように加熱作動する。
【００５５】
以上のように、第２加熱機器４０は、供給される熱消費用熱媒を加熱可能な第２加熱部４１よりも下流側で熱消費用熱媒の温度を測定する第１温度測定手段としての温度センサＴ１を有する。そして、第２加熱機器４０は、温度センサＴ１が測定する加熱後の熱消費用熱媒の温度がその目標温度になるように加熱作動する。つまり、第２加熱機器４０は、熱消費用熱媒を第２加熱部４１で加熱する必要があるか否かを自身で判断して、熱消費端末１０に対して目標温度の熱消費用熱媒が供給されるように動作できる。
【００５６】
加えて、第１加熱機器２０では、第１加熱部２１において、第１熱源部Ｈから供給される熱により目標温度以上に調節された湯水（第１熱媒）と熱消費用熱媒循環路Ｌ１を通って熱消費端末１０から流れてきた熱消費用熱媒との熱交換が行われる。つまり、第１加熱部２１において、熱消費用熱媒は目標温度以上の湯水と熱交換するので、その熱交換後の熱消費用熱媒の温度は目標温度に近い温度又は目標温度以上になる。
更に、第１加熱機器２０は、熱消費用熱媒を第１加熱部２１を迂回して流すことのできるバイパス流路３５を有しているため、第１加熱部２１を経由して流れた熱消費用熱媒については目標温度に近い温度又は目標温度以上にすることができ、バイパス流路３５を流れた熱消費用熱媒については第１加熱部２１による加熱が行われないようにできる。そして、流量調節機構３６によって、第２温度測定手段としての温度センサＴ２で測定される合流部３０の下流側での熱消費用熱媒の温度が目標温度になるように、第１加熱部２１を経由して流れる熱消費用熱媒の流量とバイパス流路３５を経由して流れる熱消費用熱媒の流量とが調節される。その結果、調節された温度の熱消費用熱媒が、第１加熱機器２０から第２加熱機器４０へと熱消費用熱媒循環路Ｌ１を通って供給され、上述したように第２加熱機器４０において必要に応じて熱消費用熱媒の加熱が行われるようになる。
次に、湯水（第１熱媒）を目標温度以上に調節可能でない場合について説明する。調節可能でない場合とは、例えば、目標温度が８０℃であっても、第１熱源部Ｈの温度やポンプＰ２の出力下限などが制約となって、第１加熱部２１に供給する湯水（第１熱媒）の温度を８０℃まで上昇させられない場合のことである。この場合、第１加熱部２１において、熱消費用熱媒は目標温度に達しない湯水（第１熱媒）と熱交換するので、その熱交換後の熱消費用熱媒の温度は目標温度に達しない。流量調節機構３６によって、熱消費用熱媒は全て第１加熱部２１を経由して流れるが、第２温度測定手段としての温度センサＴ２で測定される合流部３０の下流側での熱消費用熱媒の温度も目標温度に達しない。その結果、目標温度に達しない温度の熱消費用熱媒が、第１加熱機器２０から第２加熱機器４０へと熱消費用熱媒循環路Ｌ１を通って供給され、上述したように第２加熱機器４０において目標温度まで熱消費用熱媒の加熱が行われるようになる。
従って、第１加熱機器２０及び第２加熱機器４０が互いにどのような熱媒の加熱制御を行っているのかを知ることができなくても、熱消費端末１０に対して適切な温度の熱媒を供給できる。
【００５７】
＜第４実施形態＞
第４実施形態の熱媒加熱システムは、流量調節機構３６の動作が上記第３実施形態と異なっている。以下に第４実施形態の熱媒加熱システムについて説明するが上記第１及び第３実施形態と同様の構成については説明を省略する。
【００５８】
図４は、第４実施形態の熱媒加熱システムの構成を示す図である。
一年の中には、予め定められた或る目標温度よりも低い別の目標温度の熱消費端末１０での熱消費量が大きくなる時季と小さくなる時季とが存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００５９】
そこで、本実施形態では、第１加熱機器２０は、予め定められた或る目標温度よりも低い別の目標温度の熱消費端末１０での熱消費量が大きくなる時季であるか否かを判定する時季判定手段３８を有する。具体的には、時季判定手段３８は、暦上の現在の月日に基づいて、予め定められた或る目標温度よりも低い別の目標温度の熱消費端末１０での熱消費量が大きくなる時季であるか否かを判定する。例えば、時季判定手段３８は、暦上の現在の月日が１月〜４月及び１０月〜１２月であれば、上記床暖房装置などの熱消費端末１０での熱消費量が大きくなる時季であると判定し、暦上の現在の月日が５月〜９月であれば、上記床暖房装置などの熱消費端末１０での熱消費量が大きくなる時季ではないと判定する。
【００６０】
そして、時季判定手段３８の判定結果は第１制御部Ｃ１に伝達され、第１制御部Ｃ１は、流量調節機構３６が、時季判定手段３８によって、予め定められた或る目標温度よりも低い別の目標温度の熱消費端末１０での熱消費量が大きくなる時季ではないと判定されている間、熱消費用熱媒を全てバイパス流路３５を経由して流す状態に調節するように動作させる。つまり、その時季には、熱消費端末１０に供給する熱消費用熱媒の加熱は、第２加熱機器４０の第２加熱部４１のみによって行われる。
それに対して、第１制御部Ｃ１は、時季判定手段３８によって、予め定められた或る目標温度よりも低い別の目標温度の熱消費端末１０での熱消費量が大きくなる時季であると判定されている間、上記第３実施形態と同様の制御、即ち、温度センサＴ２で測定される合流部３０の下流側での熱消費用熱媒の温度が目標温度になるように、第１加熱部２１を経由して流れる熱消費用熱媒の流量とバイパス流路３５を経由して流れる熱消費用熱媒の流量とを流量調節機構３６によって調節する。
【００６１】
＜第５実施形態＞
第５実施形態の熱媒加熱システムは、流量調節機構３６の動作及び時季判定手段３８の動作が上記第４実施形態と異なっている。以下に第５実施形態の熱媒加熱システムについて説明するが上記第１、第３及び第４実施形態と同様の構成については説明を省略する。
【００６２】
図４は、第５実施形態の熱媒加熱システムの構成を示す図である。
一年の中には、予め定められた或る目標温度が相対的に低い熱消費端末１０での熱消費量が発生する低温時季が存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００６３】
そこで、本実施形態では、第１加熱機器２０は、予め定められた或る目標温度が相対的に低い熱消費端末１０での熱消費量が発生する低温時季であるか否かを判定する低温時季判定手段３８（時季判定手段の一例）を有する。なお、図４においては、単に時季判定手段３８と記載する。具体的には、低温時季判定手段３８は、暦上の現在の月日に基づいて、予め定められた相対的に高い或る目標温度よりも相対的に低い或る目標温度の熱消費端末１０での熱消費量が発生する低温時季であるか否かを判定する。例えば、低温時季判定手段３８は、暦上の現在の月日が１月〜４月及び１０月〜１２月であれば、上記床暖房装置などの熱消費端末１０での熱消費量が発生する低温時季であると判定し、暦上の現在の月日が５月〜９月であれば、上記床暖房装置などの熱消費端末１０での熱消費量が発生する低温時季ではないと判定する。
【００６４】
そして、低温時季判定手段３８の判定結果は第１制御部Ｃ１に伝達され、第１制御部Ｃ１は、流量調節機構３６が、低温時季判定手段３８によって低温時季であると判定されている間、温度センサＴ２で測定される合流部３０の下流側での熱消費用熱媒の温度が相対的に低い或る目標温度になるように、第１加熱部２１を経由して流れる熱消費用熱媒の流量とバイパス流路３５を経由して流れる熱消費用熱媒の流量とを調節するように動作させる。
また、第１制御部Ｃ１は、流量調節機構３６が、低温時季判定手段３８によって低温時季ではないと判定されている間、温度センサＴ２で測定される合流部３０の下流側での熱消費用熱媒の温度が相対的に高い或る目標温度になるように、第１加熱部２１を経由して流れる熱消費用熱媒の流量とバイパス流路３５を経由して流れる熱消費用熱媒の流量とを調節するように動作させる。
さらに、第１制御部Ｃ１は、温度センサＴ４で測定される湯水の温度、即ち、第１加熱機器２０が第１加熱部２１に供給する第１熱媒の温度を調節可能な範囲で相対的に高い或る目標温度以上に調節するように、ポンプＰ２の動作を制御する。
これにより、低温時季であると判定されている間、相対的に高い目標温度以上に調節された第１熱媒により、熱消費用熱媒を相対的に高い目標温度まで加熱（過加熱）することを防ぐことができる。
【００６５】
＜第６実施形態＞
第６実施形態の熱媒加熱システムは、流量調節機構３６の動作が上記第４及び第５実施形態と異なっている。以下に第６実施形態の熱媒加熱システムについて説明するが上記第１、第３〜第５実施形態と同様の構成については説明を省略する。
【００６６】
図５は、第６実施形態の熱媒加熱システムの構成を示す図である。
例えば、熱消費端末１０が、上述した浴室暖房乾燥機（浴室そのものや衣類などを乾燥させる運転モード）やデシカント空調機である場合、時季に関わらずその熱消費量は大きくなる。そのため、夏季であっても、第１加熱機器２０の第１加熱部２１及び第２加熱機器４０の第２加熱部４１の両方で熱消費用熱媒を加熱することが好ましい場合が存在する。
【００６７】
本実施形態では、第１加熱機器２０は、ユーザーが、熱消費用熱媒を第１加熱部２１を経由して流す状態、又は、熱消費用熱媒を全てバイパス流路３５を経由して流す状態に切り替えるかを入力可能なバイパス切替入力手段３９を有する。バイパス切替入力手段３９は、ユーザーが手動操作可能なスイッチなどを用いて実現できる。また、第１加熱機器２０は、第４実施形態で説明した時季判定手段３８又は第５実施形態で説明した低温時季判定手段３８も有する。
【００６８】
そして、時季判定手段３８又は低温時季判定手段３８の判定結果及びバイパス切替入力手段３９へのユーザの入力結果は第１加熱機器２０の第１制御部Ｃ１に伝達され、第１制御部Ｃ１は、流量調節機構３６が、時季判定手段３８又は低温時季判定手段３８の判定結果よりも、バイパス切替入力手段３９により行われたユーザー入力を優先して、熱消費用熱媒を第１加熱部２１を経由して流す状態、又は、熱消費用熱媒を全てバイパス流路３５を経由して流す状態に切り替わるよう動作させる。その結果、熱消費用端末に供給する熱消費用熱媒の加熱を、第１加熱機器２０の第１加熱部２１及び第２加熱機器４０の第２加熱部４１の両方で行うことができる状態と、第２加熱機器４０の第２加熱部４１のみで行うことができる状態とを切り替えることができる。
尚、ユーザーがバイパス切替入力手段３９を用いて何れの入力も行っていない場合、即ち、熱消費用熱媒を第１加熱部２１を経由して流す状態に切り替えること、及び、熱消費用熱媒を全てバイパス流路３５を経由して流す状態に切り替えることの何れも入力していない場合、第１制御部Ｃ１は、時季判定手段３８又は低温時季判定手段３８の判定結果に従った制御を行う。
【００６９】
＜第７実施形態＞
第７実施形態の熱媒加熱システムは、熱消費端末１０に供給する熱消費用熱媒の温度の制御手法が上記第１及び第２実施形態と異なっている。以下に第７実施形態の熱媒加熱システムについて説明するが上記第１及び第２実施形態と同様の構成については説明を省略する。
【００７０】
図６は、第７実施形態の熱媒加熱システムの構成を示す図である。
一年の中には、予め定められた或る目標温度よりも低い別の目標温度の熱消費端末１０での熱消費量が大きくなる時季と小さくなる時季とが存在する。例えば、熱消費端末１０には、上述のように床暖房装置や浴室暖房乾燥機やデシカント空調機などがある。その内、冬季に暖房目的で運転される床暖房装置については、人に対して床材などを介して熱消費用熱媒が間接的に接する端末であって、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００７１】
本実施形態では、第１加熱機器２０は、熱消費用熱媒循環路Ｌ１を通って熱消費端末１０から流れてきた熱消費用熱媒を第１加熱部２１を迂回して第２加熱機器４０へ流すことのできるバイパス流路３５と、熱消費用熱媒を全て第１加熱部２１を経由して流す状態、又は、熱消費用熱媒を全てバイパス流路３５を経由して流す状態に切り替える流路切替機構３７と、予め定められた或る目標温度よりも低い別の目標温度の熱消費端末１０での熱消費量が大きくなる時季であるか否かを判定する時季判定手段３８とを有する。
【００７２】
本実施形態では、流路切替機構３７は、第１加熱部２１を経由して流れた熱消費用熱媒とバイパス流路３５を経由して流れた熱消費用熱媒との合流部３０に設けられた切替弁などを用いて構成される。この流路切替機構３７の動作は第１加熱機器２０の第１制御部Ｃ１が制御する。
【００７３】
そして、時季判定手段３８の判定結果は第１加熱機器２０の第１制御部Ｃ１に伝達され、第１制御部Ｃ１は、流路切替機構３７が、時季判定手段３８によって、予め定められた或る目標温度よりも低い別の目標温度の熱消費端末１０での熱消費量が大きくなる時季である（例えば冬季など）と判定されている間、熱消費用熱媒を全て第１加熱部２１を経由して流す状態に切り替わり、時季判定手段３８によって、予め定められた或る目標温度よりも低い別の目標温度の熱消費端末１０での熱消費量が大きくなる時季ではない（例えば冬季以外の時季など）と判定されている間、熱消費用熱媒を全てバイパス流路３５を経由して流す状態に切り替わるように動作させる。つまり、例えば冬季以外の時季などには、熱消費端末１０に供給する熱消費用熱媒の加熱は第２加熱機器４０の第２加熱部４１のみによって行われ、例えば冬季などの時季には、熱消費端末１０に供給する熱消費用熱媒の加熱は第１加熱機器２０の第１加熱部２１及び第２加熱機器４０の第２加熱部４１の両方によって行われる。
【００７４】
尚、流路切替機構３７が熱消費用熱媒を全て第１加熱部２１を経由して流す状態に切り替わっている間は、第１加熱部２１において湯水（第１熱媒）を用いた熱消費用熱媒の加熱が行われるが、そのときの制御は上記第１実施形態で示したのと同様である。
【００７５】
＜第８実施形態＞
第８実施形態の熱媒加熱システムは、流路切替機構３７の動作及び時季判定手段３８の動作が上記第７実施形態と異なっている。以下に第８実施形態の熱媒加熱システムについて説明するが上記第１、第２及び第７実施形態と同様の構成については説明を省略する。
【００７６】
図６は、第８実施形態の熱媒加熱システムの構成を示す図である。
一年の中には、予め定められた或る目標温度が相対的に低い熱消費端末１０での熱消費量が発生する低温時季が存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００７７】
そこで、本実施形態では、第１加熱機器２０は、予め定められた或る目標温度が相対的に低い熱消費端末１０での熱消費量が発生する低温時季であるか否かを判定する低温時季判定手段３８（時季判定手段の一例）を有する。なお、図６においては、単に時季判定手段３８と記載する。具体的には、低温時季判定手段３８は、暦上の現在の月日に基づいて、予め定められた相対的に高い或る目標温度よりも相対的に低い或る目標温度の熱消費端末１０での熱消費量が発生する低温時季であるか否かを判定する。例えば、低温時季判定手段３８は、暦上の現在の月日が１月〜４月及び１０月〜１２月であれば、上記床暖房装置などの熱消費端末１０での熱消費量が発生する低温時季であると判定し、暦上の現在の月日が５月〜９月であれば、上記床暖房装置などの熱消費端末１０での熱消費量が発生する低温時季ではないと判定する。
【００７８】
そして、低温時季判定手段３８の判定結果は第１制御部Ｃ１に伝達され、第１制御部Ｃ１は、温度センサＴ４で測定される湯水の温度、即ち、第１加熱機器２０が第１加熱部２１に供給する第１熱媒の温度を調節可能な範囲で相対的に高い或る目標温度に調節するように、ポンプＰ２の動作を制御する。なお、相対的に高い或る目標温度は、熱消費端末１０の設置時等に第１加熱機器２０のメモリ等に記憶等することにより予め設定しておき、第１加熱部２１での加熱の目標温度として用いることができる。
また、第１制御部Ｃ１は、流路切替機構３７が、低温時季判定手段３８によって低温時季であると判定されている間、熱消費用熱媒を全てバイパス流路３５を経由して流す状態に切り替わり、低温時季ではないと判定されている間、熱消費用熱媒を全て第１加熱部２１を経由して流す状態に切り替わるように動作させる。
これにより、低温時季であると判定されている間、相対的に高い目標温度に調節された第１熱媒により、熱消費用熱媒を相対的に高い目標温度まで加熱（過加熱）することを防ぐことができる。
【００７９】
＜第９実施形態＞
第９実施形態の熱媒加熱システムは、流路切替機構３７の動作及び時季判定手段３８の動作が上記第７及び第８実施形態と異なっている。以下に第９実施形態の熱媒加熱システムについて説明するが上記第１、第２、第７及び第８実施形態と同様の構成については説明を省略する。
【００８０】
図６は、第９実施形態の熱媒加熱システムの構成を示す図である。
一年の中には、予め定められた或る目標温度が相対的に低い熱消費端末１０での熱消費量が発生する低温時季が存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００８１】
そこで、本実施形態では、第１加熱機器２０は、予め定められた或る目標温度が相対的に低い熱消費端末１０での熱消費量が発生する低温時季であるか否かを判定する低温時季判定手段３８（時季判定手段の一例）を有する。なお、図６においては、単に時季判定手段３８と記載する。具体的には、低温時季判定手段３８は、暦上の現在の月日に基づいて、予め定められた相対的に高い或る目標温度よりも相対的に低い或る目標温度の熱消費端末１０での熱消費量が発生する低温時季であるか否かを判定する。例えば、低温時季判定手段３８は、暦上の現在の月日が１月〜４月及び１０月〜１２月であれば、上記床暖房装置などの熱消費端末１０での熱消費量が発生する低温時季であると判定し、暦上の現在の月日が５月〜９月であれば、上記床暖房装置などの熱消費端末１０での熱消費量が発生する低温時季ではないと判定する。
【００８２】
そして、低温時季判定手段３８の判定結果は第１制御部Ｃ１に伝達され、第１制御部Ｃ１は、温度センサＴ４で測定される湯水の温度、即ち、第１加熱機器２０が第１加熱部２１に供給する第１熱媒の温度を調節可能な範囲で相対的に低い或る目標温度に調節するように、ポンプＰ２の動作を制御する。なお、相対的に低い或る目標温度は、熱消費端末１０の設置時等に第１加熱機器２０のメモリ等に記憶等することにより予め設定しておき、第１加熱部２１での加熱の目標温度として用いることができる。
また、第１制御部Ｃ１は、流路切替機構３７が、低温時季判定手段３８によって低温時季であると判定されている間、熱消費用熱媒を全て第１加熱部２１を経由して流す状態に切り替わり、低温時季ではないと判定されている間、熱消費用熱媒を全てバイパス流路３５を経由して流す状態に切り替わるように動作させる。
これにより、低温時季ではないと判定されている間、相対的に高い目標温度の熱消費用熱媒により、相対的に低い目標温度に調節された第１熱媒を加熱（逆加熱）することを防ぐことができる。
【００８３】
＜第１０実施形態＞
第１０実施形態の熱媒加熱システムは、流路切替機構３７の動作が上記第２、第７〜第９実施形態と異なっている。以下に第１０実施形態の熱媒加熱システムについて説明するが上記第１、第２、第７〜第９実施形態と同様の構成については説明を省略する。
【００８４】
図７は、第１０実施形態の熱媒加熱システムの構成を示す図である。
例えば、熱消費端末１０が、上述した浴室暖房乾燥機（浴室そのものや衣類などを乾燥させる運転モード）やデシカント空調機である場合、時季に関わらずその熱消費量は大きくなる。そのため、夏季であっても、第１加熱機器２０の第１加熱部２１及び第２加熱機器４０の第２加熱部４１の両方で熱消費用熱媒を加熱することが好ましい場合が存在する。
【００８５】
本実施形態では、第１加熱機器２０は、ユーザーが、熱消費用熱媒を全て第１加熱部２１を経由して流す状態、又は、熱消費用熱媒を全てバイパス流路３５を経由して流す状態に切り替えるかを入力可能なバイパス切替入力手段３９を有する。バイパス切替入力手段３９は、ユーザーが手動操作可能なスイッチなどを用いて実現できる。また、第１加熱機器２０は、第７実施形態で説明した時季判定手段３８又は第２、第８及び第９のいずれかで説明した低温時季判定手段３８を有する。
【００８６】
そして、時季判定手段３８又は低温時季判定手段３８の判定結果及びバイパス切替入力手段３９へのユーザの入力結果は第１加熱機器２０の第１制御部Ｃ１に伝達され、第１制御部Ｃ１は、流路切替機構３７が、時季判定手段３８又は低温時季判定手段３８の判定結果よりも、バイパス切替入力手段３９により行われたユーザー入力を優先して、熱消費用熱媒を全て第１加熱部２１を経由して流す状態、又は、熱消費用熱媒を全てバイパス流路３５を経由して流す状態に切り替わるよう動作させる。その結果、熱消費用端末に供給する熱消費用熱媒の加熱を、第１加熱機器２０の第１加熱部２１及び第２加熱機器４０の第２加熱部４１の両方で行うことができる状態と、第２加熱機器４０の第２加熱部４１のみで行うことができる状態とを切り替えることができる。
尚、ユーザーがバイパス切替入力手段３９を用いて何れの入力も行っていない場合、即ち、熱消費用熱媒を全て第１加熱部２１を経由して流す状態に切り替えること、及び、熱消費用熱媒を全てバイパス流路３５を経由して流す状態に切り替えることの何れも入力していない場合、第１制御部Ｃ１は、時季判定手段３８又は低温時季判定手段３８の判定結果に従った制御を行う。
【００８７】
＜第１１実施形態＞
第１１実施形態の熱媒加熱システムは、時季判定手段３８の動作が上記第３実施形態〜第６実施形態と異なっている。以下に第１１実施形態の熱媒加熱システムについて説明するが上記第１、第３〜第６実施形態と同様の構成については説明を省略する。
【００８８】
図８は、第１１実施形態の熱媒加熱システムの構成を示す図であり、第３〜第６実施形態の改変例である。
本実施形態では、第１加熱機器２０は、外気温との相関を有する温度情報を取得する外気温相関情報取得手段１を更に有する。そして、第１加熱機器２０が有する時季判定手段３８は、外気温相関情報取得手段１が取得した温度情報に基づいて、予め定められた或る目標温度よりも低い別の目標温度の熱消費端末１０での熱消費量が大きくなる時季（例えば冬季など）であるか否かを判定する。例えば、外気温相関情報取得手段１が第１加熱機器２０の内部又は外部の温度情報（気温、ガス温、水温など）を取得する場合、時季判定手段３８は、外気温相関情報取得手段１が取得した上記温度情報に基づき推定される外気温が例えば１５℃以下であれば、予め定められた或る目標温度よりも低い別の目標温度の熱消費端末１０での熱消費量が大きくなる時季であると判定し、推定される外気温が例えば１５℃より高ければ、予め定められた或る目標温度よりも低い別の目標温度の熱消費端末１０での熱消費量が大きくなる時季ではないと判定するといった動作を行う。
【００８９】
そして、時季判定手段３８の判定結果は第１制御部Ｃ１に伝達され、第１制御部Ｃ１は、流量調節機構３６が、時季判定手段３８によって、例えば床暖房装置など、予め定められた或る目標温度よりも低い別の目標温度の熱消費端末１０での熱消費量が大きくなる時季ではないと判定されている間、熱消費用熱媒を全てバイパス流路３５を経由して流す状態に調節するように動作させる。それに対して、第１制御部Ｃ１は、時季判定手段３８によって、例えば床暖房装置など、予め定められた或る目標温度よりも低い別の目標温度の熱消費端末１０での熱消費量が大きくなる時季であると判定されている間、上記第３実施形態と同様の制御、即ち、温度センサＴ２で測定される合流部３０の下流側での熱消費用熱媒の温度が目標温度になるように、第１加熱部２１を経由して流れる熱消費用熱媒の流量とバイパス流路３５を経由して流れる熱消費用熱媒の流量とを流量調節機構３６によって調節する。
【００９０】
また、本実施形態では、第１加熱機器２０は時季判定手段３８として低温時季判定手段３８（時季判定手段の一例）を有していてもよい。なお、図８においては、単に時季判定手段３８と記載する。低温時季判定手段３８は、外気温相関情報取得手段１が取得した温度情報に基づいて、予め定められた或る目標温度が相対的に低い熱消費端末１０での熱消費量が発生する低温時季であるか否かを判定する。例えば、外気温相関情報取得手段１が第１加熱機器２０の内部又は外部の温度情報（気温、ガス温、水温など）を取得する場合、低温時季判定手段３８は、外気温相関情報取得手段１が取得した上記温度情報に基づき推定される外気温が例えば１５℃以下であれば、低温時季であると判定し、推定される外気温が例えば１５℃より高ければ、低温時季ではないと判定するといった動作を行う。
そして、低温時季判定手段３８の判定結果は第１制御部Ｃ１に伝達され、第１制御部Ｃ１は、流量調節機構３６が、低温時季判定手段３８によって低温時季であると判定されている間、温度センサＴ２で測定される合流部３０の下流側での熱消費用熱媒の温度が相対的に低い或る目標温度になるように、第１加熱部２１を経由して流れる熱消費用熱媒の流量とバイパス流路３５を経由して流れる熱消費用熱媒の流量とを調節するように動作させる。
また、第１制御部Ｃ１は、流量調節機構３６が、低温時季判定手段３８によって低温時季ではないと判定されている間、温度センサＴ２で測定される合流部３０の下流側での熱消費用熱媒の温度が相対的に高い或る目標温度になるように、第１加熱部２１を経由して流れる熱消費用熱媒の流量とバイパス流路３５を経由して流れる熱消費用熱媒の流量とを調節するように動作させる。
さらに、第１制御部Ｃ１は、温度センサＴ４で測定される湯水の温度、即ち、第１加熱機器２０が第１加熱部２１に供給する第１熱媒の温度を調節可能な範囲で相対的に高い或る目標温度以上に調節するように、ポンプＰ２の動作を制御する。
これにより、低温時季であると判定されている間、相対的に高い目標温度以上に調節された第１熱媒により、熱消費用熱媒を相対的に高い目標温度まで加熱（過加熱）することを防ぐことができる。
【００９１】
尚、図示は省略するが、第６実施形態においても、時季判定手段３８が、外気温相関情報取得手段１が取得した温度情報に基づいて、例えば床暖房装置など、予め定められた或る目標温度よりも低い別の目標温度の熱消費端末１０での熱消費量が大きくなる時季であるか否かを判定するように構成してもよい。また、同様に、低温時期判定手段３８が、外気温相関情報取得手段１が取得した温度情報に基づいて、予め定められた或る目標温度が相対的に低い熱消費端末１０での熱消費量が発生する低温時季であるか否かを判定するように構成してもよい。
【００９２】
＜第１２実施形態＞
第１２実施形態の熱媒加熱システムは、時季判定手段３８の動作が上記第７実施形態〜第１０実施形態と異なっている。以下に第１２実施形態の熱媒加熱システムについて説明するが上記第１、第７〜第１０実施形態と同様の構成については説明を省略する。
【００９３】
図９は、第１２実施形態の熱媒加熱システムの構成を示す図であり、第７〜第１０実施形態の改変例である。
本実施形態では、第１加熱機器２０は、外気温との相関を有する温度情報を取得する外気温相関情報取得手段１を更に有する。そして、第１加熱機器２０が有する時季判定手段３８は、外気温相関情報取得手段１が取得した温度情報に基づいて、予め定められた或る目標温度よりも低い別の目標温度の熱消費端末１０での熱消費量が大きくなる時季（例えば冬季など）であるか否かを判定する。例えば、外気温相関情報取得手段１が第１加熱機器２０の内部又は外部の温度情報（気温、ガス温、水温など）を取得する場合、時季判定手段３８は、外気温相関情報取得手段１が取得した上記温度情報に基づき推定される外気温が例えば１５℃以下であれば、予め定められた或る目標温度よりも低い別の目標温度の熱消費端末１０での熱消費量が大きくなる時季であると判定し、推定される外気温が例えば１５℃より高ければ、予め定められた或る目標温度よりも低い別の目標温度の熱消費端末１０での熱消費量が大きくなる時季ではないと判定するといった動作を行う。
【００９４】
そして、時季判定手段３８の判定結果は第１制御部Ｃ１に伝達され、第１制御部Ｃ１は、流路切替機構３７が、時季判定手段３８によって、例えば床暖房装置など、予め定められた或る目標温度よりも低い別の目標温度の熱消費端末１０での熱消費量が大きくなる時季ではないと判定されている間、熱消費用熱媒を全てバイパス流路３５を経由して流す状態に切り替わるように動作させる。それに対して、第１制御部Ｃ１は、流路切替機構３７が、時季判定手段３８によって、例えば床暖房装置など、予め定められた或る目標温度よりも低い別の目標温度の熱消費端末１０での熱消費量が大きくなる時季であると判定されている間、熱消費用熱媒を全て第１加熱部２１を経由して流す状態に切り替わるように動作させる。
【００９５】
また、本実施形態では、第１加熱機器２０は時季判定手段３８として低温時季判定手段３８（時季判定手段の一例）を有していてもよい。なお、図９においては、単に時季判定手段３８と記載する。低温時季判定手段３８は、外気温相関情報取得手段１が取得した温度情報に基づいて、予め定められた或る目標温度が相対的に低い熱消費端末１０での熱消費量が発生する低温時季であるか否かを判定する。例えば、外気温相関情報取得手段１が第１加熱機器２０の内部又は外部の温度情報（気温、ガス温、水温など）を取得する場合、低温時季判定手段３８は、外気温相関情報取得手段１が取得した上記温度情報に基づき推定される外気温が例えば１５℃以下であれば、低温時季であると判定し、推定される外気温が例えば１５℃より高ければ、低温時季ではないと判定するといった動作を行う。
【００９６】
そして、低温時季判定手段３８の判定結果は第１制御部Ｃ１に伝達され、第１制御部Ｃ１は、温度センサＴ４で測定される湯水の温度、即ち、第１加熱機器２０が第１加熱部２１に供給する第１熱媒の温度を調節可能な範囲で相対的に高い或る目標温度に調節するように、ポンプＰ２の動作を制御する。なお、相対的に高い或る目標温度は、熱消費端末１０の設置時等に第１加熱機器２０のメモリ等に記憶等することにより予め設定しておき、第１加熱部２１での加熱の目標温度として用いることができる。
また、第１制御部Ｃ１は、流路切替機構３７が、低温時季判定手段３８によって低温時季であると判定されている間、熱消費用熱媒を全てバイパス流路３５を経由して流す状態に切り替わり、低温時季ではないと判定されている間、熱消費用熱媒を全て第１加熱部２１を経由して流す状態に切り替わるように動作させる。
【００９７】
尚、図示は省略するが、第１０実施形態においても、時季判定手段３８が、外気温相関情報取得手段１が取得した温度情報に基づいて、例えば床暖房装置など、予め定められた或る目標温度よりも低い別の目標温度の熱消費端末１０での熱消費量が大きくなる時季であるか否かを判定するように構成してもよい。また、同様に、第９及び第１０実施形態においても、低温時季判定手段３８が、外気温相関情報取得手段１が取得した温度情報に基づいて、予め定められた或る目標温度が相対的に低い熱消費端末１０での熱消費量が発生する低温時季であるか否かを判定するように構成してもよい。
【００９８】
＜別実施形態＞
＜１＞
上記実施形態では、本発明の熱媒加熱システムの構成について具体例を挙げて説明したが、その構成は適宜変更可能である。
例えば、第１加熱機器２０及び第２加熱機器４０の構成は図示したものに限定されず適宜変更可能である。
また、熱消費端末１０として、床暖房装置及び浴室暖房乾燥機及びデシカント空調機のうちの複数台が設けられる場合もある。そのとき、熱消費端末１０へ供給する熱消費用熱媒の目標温度が複数存在することも有り得るが、その場合、第１制御部Ｃ１は例えば最も高い温度の目標温度を採用するといった制御を行う。
【００９９】
＜２＞
上記実施形態では、熱消費端末１０での目標温度について具体的な数値を挙げて説明したが、それらの数値は例示目的で記載したものであり適宜変更可能である。
【０１００】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【０１０１】
本発明は、第１加熱機器及び第２加熱機器が互いにどのような熱媒の加熱制御を行っているのかを知ることができなくても、熱消費端末に対して適切な温度の熱媒を供給できる熱媒加熱システムに利用できる。
【符号の説明】
【０１０２】
１  外気温相関情報取得手段
１０  熱消費端末
２０  第１加熱機器
２１  第１加熱部
２５  湯水循環路
３５  バイパス流路
３６  流量調節機構
３７  流路切替機構
３８  時季判定手段
３９  バイパス切替入力手段
４０  第２加熱機器
４１  第２加熱部
Ｌ１  熱消費用熱媒循環路
Ｈ  第１熱源部
Ｔ１  温度センサ（第１温度測定手段）
Ｔ２  温度センサ（第２温度測定手段）
【図１】
2019020114.tif 000003
【図２】
2019020114.tif 000004
【図３】
2019020114.tif 000005
【図４】
2019020114.tif 000006
【図５】
2019020114.tif 000007
【図６】
2019020114.tif 000008
【図７】
2019020114.tif 000009
【図８】
2019020114.tif 000010
【図９】
2019020114.tif 000011
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
熱消費端末に供給する熱消費用熱媒を加熱する熱媒加熱システムであって、
予め定められた或る目標温度で前記熱消費端末に供給される前記熱消費用熱媒が循環する熱消費用熱媒循環路と、
前記熱消費用熱媒循環路の途中で、前記熱消費端末で熱が利用された後の前記熱消費用熱媒を加熱可能な第１加熱機器と、
前記熱消費用熱媒循環路の途中の前記第１加熱機器よりも前記熱消費端末に近い下流側で、前記熱消費用熱媒を加熱可能な第２加熱機器とを備え、
前記第１加熱機器は、熱を発生する第１熱源部と、当該第１熱源部から供給される熱により昇温された第１熱媒と前記熱消費用熱媒循環路を通って前記熱消費端末から流れてきた前記熱消費用熱媒との熱交換を行う第１加熱部とを有し、前記第１加熱部に供給する前記第１熱媒の温度を、調節可能な範囲で前記或る目標温度に調節し、
前記第２加熱機器は、供給される前記熱消費用熱媒を加熱可能な第２加熱部と、前記第２加熱部よりも下流側で前記熱消費用熱媒の温度を測定する第１温度測定手段とを有し、前記熱消費端末が運転されているとき、前記第１温度測定手段で測定される前記熱消費用熱媒の温度が前記或る目標温度になるように加熱作動する熱媒加熱システム。
【請求項２】
前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、予め定められた前記或る目標温度が相対的に低い熱消費端末での熱消費量が発生する低温時季であるか否かを判定する時季判定手段を有し、
前記第１加熱機器が、前記時季判定手段によって、低温時季であると判定されている間、前記第１加熱部に供給する前記第１熱媒の温度を、調節可能な範囲で相対的に低い前記或る目標温度に調節し、前記時季判定手段によって、低温時季ではないと判定されている間、前記第１加熱部に供給する前記第１熱媒の温度を、調節可能な範囲で相対的に高い前記或る目標温度に調節する請求項１に記載の熱媒加熱システム。
【請求項３】
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度よりも低い別の目標温度の前記熱消費端末での熱消費量が大きくなる時季であるか否かを判定する時季判定手段とを有し、
前記流路切替機構は、前記時季判定手段によって、前記別の目標温度の前記熱消費端末での熱消費量が大きくなる時季であると判定されている間、前記熱消費用熱媒を全て前記第１加熱部を経由して流す状態に切り替わり、前記時季判定手段によって、前記別の目標温度の前記熱消費端末での熱消費量が大きくなる時季ではないと判定されている間、前記熱消費用熱媒を全て前記バイパス流路を経由して流す状態に切り替わる請求項１に記載の熱媒加熱システム。
【請求項４】
前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段とを有し、
前記第１加熱機器が、前記第１加熱部に供給する前記第１熱媒の温度を、調節可能な範囲で相対的に高い前記或る目標温度に調節する場合には、前記流路切替機構は、前記時季判定手段によって、低温時季であると判定されている間、前記熱消費用熱媒を全て前記バイパス流路を経由して流す状態に切り替わり、かつ、前記時季判定手段によって、低温時季ではないと判定されている間、前記熱消費用熱媒を全て前記第１加熱部を経由して流す状態に切り替わる請求項１に記載の熱媒加熱システム。
【請求項５】
前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段とを有し、
前記第１加熱機器が、前記第１加熱部に供給する前記第１熱媒の温度を、調節可能な範囲で相対的に低い前記或る目標温度に調節する場合には、前記流路切替機構は、前記時季判定手段によって、低温時季であると判定されている間、前記熱消費用熱媒を全て前記第１加熱部を経由して流す状態に切り替わり、かつ、前記時季判定手段によって、低温時季ではないと判定されている間、前記熱消費用熱媒を全て前記バイパス流路を経由して流す状態に切り替わる請求項１に記載の熱媒加熱システム。
【請求項６】
前記第１加熱機器は、ユーザーが、前記熱消費用熱媒を全て前記第１加熱部を経由して流す状態、又は、前記熱消費用熱媒を全て前記バイパス流路を経由して流す状態に切り替えるかを入力可能なバイパス切替入力手段を有し、
前記流路切替機構は、前記時季判定手段の判定結果よりも、前記バイパス切替入力手段により行われたユーザー入力を優先して、前記熱消費用熱媒を全て前記第１加熱部を経由して流す状態、又は、前記熱消費用熱媒を全て前記バイパス流路を経由して流す状態に切り替わる請求項３から５の何れか一項に記載の熱媒加熱システム。
【請求項７】
前記時季判定手段は、暦上の現在の月日に基づいて前記判定を行う請求項２から６の何れか一項に記載の熱媒加熱システム。
【請求項８】
外気温との相関を有する温度情報を取得する外気温相関情報取得手段を備え、
前記時季判定手段は、前記外気温相関情報取得手段が取得した前記温度情報に基づいて前記判定を行う請求項２から６の何れか一項に記載の熱媒加熱システム。
【請求項９】
前記第１加熱機器は、コージェネレーション装置及びヒートポンプ装置及び太陽熱温水装置の少なくとも一つ以上を備えて構成されており、
前記第２加熱機器は、燃焼式給湯暖房機及び電気ヒータの少なくとも一つ以上を備えて構成されており、
前記熱消費端末は、床暖房装置及び浴室暖房乾燥機及びデシカント空調機の少なくとも一つ以上を備えて構成されている請求項１から８の何れか一項に記載の熱媒加熱システム。 
【手続補正２】
【補正対象書類名】明細書
【補正対象項目名】全文
【補正方法】変更
【補正の内容】
【発明の詳細な説明】
【技術分野】
【０００１】
本発明は、熱消費端末に供給する熱消費用熱媒を加熱する熱媒加熱システムに関する。
【背景技術】
【０００２】
特許文献１（特開２０１６−２０５７９８号公報）には、二つの加熱機器によって湯を加熱して、その湯を給湯で利用させる熱媒加熱システムが記載されている。この熱媒加熱システムは給湯栓（６９）に湯を供給するためのシステムであり、熱源となる燃料電池を有する第１加熱機器（発電ユニット）で加熱した湯を、更に第２加熱機器（給湯器（Ｗｈ））で加熱する構成になっている。具体的には、第１加熱機器から第２加熱機器へと供給される湯は３０℃程度であり、第２加熱機器でその３０℃程度の湯を更に加熱して給湯栓（６９）に供給する。このように、第１加熱機器は、第２加熱機器へと供給する湯を予め比較的低温の湯に調節しているので、第１加熱機器と第２加熱機器との間で例えば湯の温度情報などをやり取りしなくても構わない。第１加熱機器が上述のような動作を行うことで、例えば、第２加熱機器（給湯器（Ｗｈ））が既に設置されている場所に後から第１加熱機器を追加で設置するとしても、第２加熱機器は第１加熱機器が設置される前と同じ動作を行っていればよい。
【０００３】
特許文献２（特開２００６−３４９３０１号公報）には、暖房器具（４）などの熱消費端末に供給する熱媒を加熱する熱媒加熱システムが記載されている。具体的には、特許文献２のシステムにおいて、熱消費端末としての暖房器具（４）に供給される熱媒は２つの加熱機器、即ち、燃料電池ユニット（１）から回収した熱が供給される第２の熱交換器（Ｈｘ２）と、バーナー（３１）で発生した熱が供給される熱交換器（３４）とで加熱される。但し、特許文献２のシステムは、燃料電池ユニット（１）及び第２の熱交換器（Ｈｘ２）及びバーナー（３１）及び熱交換器（３４）などが一体化されたシステムであり、その一部を後から追加で設置するようなシステムではない。
【０００４】
特許文献３（特開２０１２−１０７７９３号公報）の段落００６７には、熱消費端末（暖房負荷）に対して供給する熱媒を二つの加熱機器で加熱する熱媒加熱システムが記載されている。つまり、特許文献３の熱媒加熱システムは、熱消費端末（暖房負荷）に供給される熱消費用熱媒が循環する熱消費用熱媒循環路（循環路１５）と、熱消費用熱媒循環路の途中で、熱消費端末で熱が利用された後の熱消費用熱媒を加熱可能な第１加熱機器（暖房負荷熱交換器１４）と、熱消費用熱媒循環路の途中の第１加熱機器よりも熱消費端末に近い下流側で、熱消費用熱媒を加熱可能な第２加熱機器（ガス給湯暖房機６）とを備えている。
【先行技術文献】
【特許文献】
【０００５】
【特許文献１】特開２０１６−２０５７９８号公報
【特許文献２】特開２００６−３４９３０１号公報
【特許文献３】特開２０１２−１０７７９３号公報
【発明の概要】
【発明が解決しようとする課題】
【０００６】
特許文献３には、熱消費端末（暖房負荷）に対して供給する熱媒を二つの加熱機器で加熱することは記載されているものの、具体的に、熱消費端末に熱を供給するために循環している熱媒の温度を、第１加熱機器と第２加熱機器とを用いてどのように調節するのかは記載されていない。
特に、第１加熱機器と第２加熱機器とが情報通信を行うことができない構成の場合、第１加熱機器での熱媒の加熱制御と、第２加熱機器での熱媒の加熱制御との調和が図られていなければならないが、特許文献３に記載のシステムでは、第１加熱機器と第２加熱機器とを用いて、熱消費端末に供給する熱媒の温度をどのように調節すればよいのかが不明である。
【０００７】
本発明は、上記の課題に鑑みてなされたものであり、その目的は、第１加熱機器及び第２加熱機器が互いにどのような熱媒の加熱制御を行っているのかを知ることができなくても、熱消費端末に対して適切な温度の熱媒を供給できる熱媒加熱システムを提供する点にある。
【課題を解決するための手段】
【０００８】
上記目的を達成するための本発明に係る熱媒加熱システムの特徴構成は、熱消費端末に供給する熱消費用熱媒を加熱する熱媒加熱システムであって、
予め定められた或る目標温度で前記熱消費端末に供給される前記熱消費用熱媒が循環する熱消費用熱媒循環路と、
前記熱消費用熱媒循環路の途中で、前記熱消費端末で熱が利用された後の前記熱消費用熱媒を加熱可能な第１加熱機器と、
前記熱消費用熱媒循環路の途中の前記第１加熱機器よりも前記熱消費端末に近い下流側で、前記熱消費用熱媒を加熱可能な第２加熱機器とを備え、
前記第１加熱機器は、熱を発生する第１熱源部と、当該第１熱源部から供給される熱により昇温された第１熱媒と前記熱消費用熱媒循環路を通って前記熱消費端末から流れてきた前記熱消費用熱媒との熱交換を行う第１加熱部とを有し、前記第１加熱部に供給する前記第１熱媒の温度を、調節可能な範囲で前記或る目標温度に調節し、
前記第２加熱機器は、供給される前記熱消費用熱媒を加熱可能な第２加熱部と、前記第２加熱部よりも下流側で前記熱消費用熱媒の温度を測定する第１温度測定手段とを有し、前記熱消費端末が運転されているとき、前記第１温度測定手段で測定される前記熱消費用熱媒の温度が前記或る目標温度になるように加熱作動する点にある。
【０００９】
上記特徴構成によれば、第２加熱機器は、供給される熱消費用熱媒を加熱可能な第２加熱部よりも下流側で熱消費用熱媒の温度を測定する第１温度測定手段を有する。そして、第２加熱機器は、第１温度測定手段が測定する加熱後の熱消費用熱媒の温度がその目標温度になるように加熱作動する。つまり、第２加熱機器は、熱消費用熱媒を第２加熱部で加熱する必要があるか否かを自身で判断して、調節された温度の熱消費用熱媒が熱消費端末に対して供給されるように動作できる。
【００１０】
加えて、第１加熱機器では、第１加熱部において、第１熱源部から供給される熱により、調節可能な範囲で目標温度に調節された第１熱媒と熱消費用熱媒循環路を通って熱消費端末から流れてきた熱消費用熱媒との熱交換が行われる。
以下ではまず、第１熱媒を目標温度に調節可能である場合について説明する。この場合、第１加熱部において、熱消費用熱媒は目標温度の第１熱媒と熱交換するので、その熱交換後の熱消費用熱媒の温度は目標温度に近い温度になる。その結果、目標温度に近い温度の熱消費用熱媒が、第１加熱機器から第２加熱機器へと熱消費用熱媒循環路を通って供給され、上述したように第２加熱機器において必要に応じて熱消費用熱媒の加熱が行われるようになる。
次に、第１熱媒を目標温度に調節可能でない場合について説明する。この場合、第１加熱部において、熱消費用熱媒は目標温度に達しない第１熱媒と熱交換するので、その熱交換後の熱消費用熱媒の温度は目標温度に達しない温度になる。その結果、目標温度に達しない温度の熱消費用熱媒が、第１加熱機器から第２加熱機器へと熱消費用熱媒循環路を通って供給され、上述したように第２加熱機器において目標温度まで熱消費用熱媒の加熱が行われるようになる。
また、第１加熱機器は、コージェネレーション装置、ヒートポンプ装置、太陽熱温水装置の少なくとも一つ以上を備えた構成にすることができ、第２加熱機器は、燃焼式給湯暖房機、電気ヒータの少なくとも一つ以上を備えた構成にすることができ、熱消費端末は、床暖房装置、浴室暖房乾燥機、デシカント空調機の少なくとも一つ以上を備えた構成にすることができる。
従って、第１加熱機器及び第２加熱機器が互いにどのような熱媒の加熱制御を行っているのかを知ることができなくても、熱消費端末に対して適切な温度の熱媒を供給できる熱媒加熱システムを提供できる。よって、例えば、第２加熱機器と熱消費端末とが既に設置されている場所に、第２加熱機器と情報のやり取りを行うことができない第１加熱機器を追加で設置することになっても、熱消費端末に対して適切な温度の熱媒を供給できる。
【００１１】
本発明に係る熱媒加熱システムの別の特徴構成は、前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、予め定められた前記或る目標温度が相対的に低い熱消費端末での熱消費量が発生する低温時季であるか否かを判定する時季判定手段を有し、
前記第１加熱機器が、前記時季判定手段によって、低温時季であると判定されている間、前記第１加熱部に供給する前記第１熱媒の温度を、調節可能な範囲で相対的に低い前記或る目標温度に調節し、前記時季判定手段によって、低温時季ではないと判定されている間、前記第１加熱部に供給する前記第１熱媒の温度を、調節可能な範囲で相対的に高い前記或る目標温度に調節する点にある。
【００１２】
一年の中には、予め定められた或る目標温度が相対的に低い熱消費端末での熱消費量が発生する低温時季が存在する。例えば、熱消費端末には、上述のように床暖房装置や浴室暖房乾燥機やデシカント空調機などがあり、その内、冬季に暖房目的で運転される床暖房装置については、供給する熱消費用熱媒の目標温度が相対的に低く（例えば４０℃等）設定され、ほぼ一年を通して運転される浴室暖房乾燥機やデシカント空調機については、供給する熱消費用熱媒の目標温度が相対的に高く（例えば８０℃等）設定されている。
そこで本特徴構成では、第１加熱機器が、時季判定手段によって、低温時季であると判定されている間、第１加熱部に供給する第１熱媒の温度を、調節可能な範囲で相対的に低い或る目標温度に調節し、時季判定手段によって、低温時季ではないと判定されている間、第１加熱部に供給する第１熱媒の温度を、調節可能な範囲で相対的に高い或る目標温度に調節する。つまり、低温時季であると判定されている間は、第１熱媒が相対的に高い目標温度に調節されることがなくなり、熱消費用熱媒を相対的に高い目標温度まで加熱（過加熱）することを防ぐことができ、低温時季ではないと判定されている間は、第１熱媒が相対的に高い目標温度に調節されるため、適切に熱消費用熱媒を相対的に高い目標温度まで加熱することができる。
【００１３】
本発明に係る熱媒加熱システムの更に別の特徴構成は、前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度よりも低い別の目標温度の前記熱消費端末での熱消費量が大きくなる時季であるか否かを判定する時季判定手段とを有し、
前記流路切替機構は、前記時季判定手段によって、前記別の目標温度の前記熱消費端末での熱消費量が大きくなる時季であると判定されている間、前記熱消費用熱媒を全て前記第１加熱部を経由して流す状態に切り替わり、前記時季判定手段によって、前記別の目標温度の前記熱消費端末での熱消費量が大きくなる時季ではないと判定されている間、前記熱消費用熱媒を全て前記バイパス流路を経由して流す状態に切り替わる点にある。
【００１４】
一年の中には、予め定められた或る目標温度よりも低い別の目標温度の熱消費端末での熱消費量が大きくなる時季と小さくなる時季とが存在する。例えば、熱消費端末には、上述のように床暖房装置や浴室暖房乾燥機やデシカント空調機などがあり、その内、冬季に暖房目的で運転される床暖房装置については、供給する熱消費用熱媒の目標温度が相対的に低く（例えば４０℃等）設定され、ほぼ一年を通して運転される浴室暖房乾燥機やデシカント空調機については、供給する熱消費用熱媒の目標温度が相対的に高く（例えば８０℃等）設定されている。
そこで本特徴構成では、流路切替機構が、時季判定手段によって、予め定められた或る目標温度よりも低い別の目標温度の熱消費端末での熱消費量が大きくなる時季（例えば冬季など）であると判定されている間、熱消費用熱媒を全て第１加熱部を経由して流す状態に切り替わり、時季判定手段によって、予め定められた或る目標温度よりも低い別の目標温度の熱消費端末での熱消費量が大きくなる時季ではない（例えば冬季以外など）と判定されている間、熱消費用熱媒を全てバイパス流路を経由して流す状態に切り替わる。つまり、予め定められた或る目標温度よりも低い別の目標温度の熱消費端末で大きな熱量が必要とされていない時季には、熱消費端末に供給する熱消費用熱媒の加熱は第２加熱機器の第２加熱部のみによって行われ、予め定められた或る目標温度よりも低い別の目標温度の熱消費端末で大きな熱量が必要とされている時季には、熱消費端末に供給する熱消費用熱媒の加熱は第１加熱機器の第１加熱部及び第２加熱機器の第２加熱部の両方によって行われる。
【００１５】
本発明に係る熱媒加熱システムの更に別の特徴構成は、前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段とを有し、
前記第１加熱機器が、前記第１加熱部に供給する前記第１熱媒の温度を、調節可能な範囲で相対的に高い前記或る目標温度に調節する場合には、前記流路切替機構は、前記時季判定手段によって、低温時季であると判定されている間、前記熱消費用熱媒を全て前記バイパス流路を経由して流す状態に切り替わり、かつ、前記時季判定手段によって、低温時季ではないと判定されている間、前記熱消費用熱媒を全て前記第１加熱部を経由して流す状態に切り替わる点にある。
【００１６】
一年の中には、予め定められた或る目標温度が相対的に低い熱消費端末での熱消費量が発生する低温時季が存在する。
そこで本特徴構成では、第１加熱機器が、第１加熱部に供給する第１熱媒の温度を、調節可能な範囲で相対的に高い或る目標温度に調節する場合には、流路切替機構は、時季判定手段によって、低温時季であると判定されている間、熱消費用熱媒を全てバイパス流路を経由して流す状態に切り替わり、低温時季ではないと判定されている間、熱消費用熱媒を全て第１加熱部を経由して流す状態に切り替わる。つまり、低温時季であると判定されている間、相対的に高い目標温度に調節された第１熱媒により、熱消費用熱媒を相対的に高い目標温度まで加熱（過加熱）することを防ぐことができる。
【００１７】
本発明に係る熱媒加熱システムの更に別の特徴構成は、前記熱消費用熱媒循環路は、前記或る目標温度が相対的に低い熱消費端末と前記或る目標温度が相対的に高い熱消費端末の双方に、前記熱消費用熱媒を供給可能に構成され、
前記第１加熱機器は、前記熱消費用熱媒循環路を通って前記熱消費端末から流れてきた前記熱消費用熱媒を前記第１加熱部を迂回して前記第２加熱機器へ流すことのできるバイパス流路と、前記熱消費用熱媒を全て前記第１加熱部を経由して流す状態、又は、前記熱消費用熱媒を全て前記バイパス流路を経由して流す状態に切り替える流路切替機構と、予め定められた前記或る目標温度が相対的に低い熱消費端末での熱消費量が発生する低温時季であるか否かを判定する時季判定手段とを有し、
前記第１加熱機器が、前記第１加熱部に供給する前記第１熱媒の温度を、調節可能な範囲で相対的に低い前記或る目標温度に調節する場合には、前記流路切替機構は、前記時季判定手段によって、低温時季であると判定されている間、前記熱消費用熱媒を全て前記第１加熱部を経由して流す状態に切り替わり、かつ、前記時季判定手段によって、低温時季ではないと判定されている間、前記熱消費用熱媒を全て前記バイパス流路を経由して流す状態に切り替わる点にある。
【００１８】
一年の中には、予め定められた或る目標温度が相対的に低い熱消費端末での熱消費量が発生する低温時季が存在する。
そこで本特徴構成では、第１加熱機器が、第１加熱部に供給する第１熱媒の温度を、調節可能な範囲で相対的に低い或る目標温度に調節する場合には、流路切替機構は、時季判定手段によって、低温時季であると判定されている間、熱消費用熱媒を全て第１加熱部を経由して流す状態に切り替わり、低温時季ではないと判定されている間、熱消費用熱媒を全てバイパス路を経由して流す状態に切り替わる。つまり、低温時季ではないと判定されている間、相対的に高い目標温度の熱消費用熱媒により、相対的に低い目標温度に調節された第１熱媒を加熱（逆加熱）することを防ぐことができる。
【００１９】
本発明に係る熱媒加熱システムの更に別の特徴構成は、前記第１加熱機器は、ユーザーが、前記熱消費用熱媒を全て前記第１加熱部を経由して流す状態、又は、前記熱消費用熱媒を全て前記バイパス流路を経由して流す状態に切り替えるかを入力可能なバイパス切替入力手段を有し、
前記流路切替機構は、前記時季判定手段の判定結果よりも、前記バイパス切替入力手段により行われたユーザー入力を優先して、前記熱消費用熱媒を全て前記第１加熱部を経由して流す状態、又は、前記熱消費用熱媒を全て前記バイパス流路を経由して流す状態に切り替わる点にある。
【００２０】
例えば、熱消費端末が、浴室暖房乾燥機（浴室そのものや衣類などを乾燥させる運転モード）やデシカント空調機である場合、時季に関わらずその熱消費量は大きくなる。そのため、夏季であっても、第１加熱機器の第１加熱部及び第２加熱機器の第２加熱部の両方で熱消費用熱媒を加熱することが好ましい場合が存在する。
そこで本特徴構成では、第１加熱機器は、ユーザーが、熱消費用熱媒を全て第１加熱部を経由して流す状態、又は、熱消費用熱媒を全てバイパス流路を経由して流す状態に切り替えるかを入力可能なバイパス切替入力手段を有する。そして、流路切替機構は、時季判定手段の判定結果よりも、バイパス切替入力手段により行われたユーザー入力を優先して、熱消費用熱媒を全て第１加熱部を経由して流す状態、又は、熱消費用熱媒を全てバイパス流路を経由して流す状態に切り替わる。その結果、熱消費用端末に供給する熱消費用熱媒の加熱を、第１加熱機器の第１加熱部及び第２加熱機器の第２加熱部の両方で行うことができる状態と、第２加熱機器の第２加熱部のみで行うことができる状態とを切り替えることができる。
【００２１】
本発明に係る熱媒加熱システムの更に別の特徴構成は、前記時季判定手段は、暦上の現在の月日に基づいて前記判定を行う点にある。
【００２２】
上記特徴構成によれば、時季判定手段は、暦上の現在の月日に基づいて、予め定められた或る目標温度よりも低い別の目標温度の熱消費端末での熱消費量が大きくなる時季であるのか、或いは、その熱消費端末での熱消費量が小さくなる時季であるのかを適切に判定できる。
また、時季判定手段は、暦上の現在の月日に基づいて、予め定められた或る目標温度が相対的に低い熱消費端末での熱消費量が発生する低温時季であるか否かを適切に判定できる。
【００２３】
本発明に係る熱媒加熱システムの更に別の特徴構成は、外気温との相関を有する温度情報を取得する外気温相関情報取得手段を備え、
前記時季判定手段は、前記外気温相関情報取得手段が取得した前記温度情報に基づいて前記判定を行う点にある。
【００２４】
上記特徴構成によれば、時季判定手段は、温度情報に基づいて、予め定められた或る目標温度よりも低い別の目標温度の熱消費端末での熱消費量が大きくなる時季であるのか、或いは、その熱消費端末での熱消費量が小さくなる時季であるのかを適切に判定できる。
また、時季判定手段は、温度情報に基づいて、予め定められた或る目標温度が相対的に低い熱消費端末での熱消費量が発生する低温時季であるか否かを適切に判定できる。
【図面の簡単な説明】
【００２５】
【図１】第１実施形態の熱媒加熱システムの構成を示す図である。
【図２】第２実施形態の熱媒加熱システムの構成を示す図である。
【図３】第３〜第５実施形態の熱媒加熱システムの構成を示す図である。
【図４】第６実施形態の熱媒加熱システムの構成を示す図である。
【図５】第７実施形態の熱媒加熱システムの構成を示す図である。
【発明を実施するための形態】
【００２６】
＜第１実施形態＞
以下に図面を参照して本発明の第１実施形態に係る熱媒加熱システムについて説明する。
図１は、第１実施形態の熱媒加熱システムの構成を示す図である。図示するように、熱媒加熱システムは、熱消費端末１０に供給する熱消費用熱媒を加熱するシステムであり、予め定められた或る目標温度で熱消費端末１０に供給される熱消費用熱媒が循環する熱消費用熱媒循環路Ｌ１と、熱消費用熱媒循環路Ｌ１の途中で、熱消費端末１０で熱が利用された後の熱消費用熱媒を加熱可能な第１加熱機器２０と、熱消費用熱媒循環路Ｌ１の途中の第１加熱機器２０よりも熱消費端末１０に近い下流側で、熱消費用熱媒を加熱可能な第２加熱機器４０とを備える。
【００２７】
熱消費端末１０は、熱消費用熱媒が保有する熱を利用する装置であり、床暖房装置、浴室暖房乾燥機、デシカント空調機の少なくとも一つ以上を備えて構成されている。床暖房装置は、熱消費用熱媒から放熱される熱によって床などの資材を暖める装置である。浴室暖房乾燥機は、熱消費用熱媒から放出される熱によって浴室内の空気を暖めることで、浴室内の暖房や乾燥を行う装置である。デシカント空調機は、デシカント素子を用いて空調対象空間の除湿や加湿を行う装置であり、デシカント素子に供給する空気の加熱を行うときに熱消費用熱媒から放出される熱が利用される。例えば、熱消費用熱媒から放出される熱によって加熱した空気を用いてデシカント素子からの水分の脱離を行わせることで、乾燥したデシカント素子と、脱離した水分を含んだ空気が得られる。そして、乾燥したデシカント素子を用いて、空調対象空間に供給する空気中の水分を吸着させることで、空調対象空間の除湿を行うことができる。或いは、脱離した水分を含んだ空気を空調対象空間に供給することで、空調対象空間の加湿を行うことができる。
【００２８】
第１加熱機器２０は、熱を発生する第１熱源部Ｈと、第１熱源部Ｈから供給される熱により昇温された第１熱媒と熱消費用熱媒循環路Ｌ１を通って熱消費端末１０から流れてきた熱消費用熱媒との熱交換を行う第１加熱部２１とを有する。加えて、第１加熱機器２０は、それ自身の動作を制御する第１制御部Ｃ１を有する。本実施形態では、第１加熱機器２０には、熱消費用熱媒循環路Ｌ１に接続される熱消費用熱媒第１流路Ｌ２が設けられる。この熱消費用熱媒第１流路Ｌ２は、熱消費用熱媒循環路Ｌ１を経由して第１加熱機器２０の流入部３３に供給された熱消費用熱媒が、流出部３４から熱消費用熱媒循環路Ｌ１に流出するまでの間に流れる流路である。
【００２９】
第１加熱機器２０は、コージェネレーション装置及びヒートポンプ装置及び太陽熱温水装置の少なくとも一つ以上を備えて構成される。本実施形態の場合、第１加熱機器２０の第１熱源部Ｈが、コージェネレーション装置及びヒートポンプ装置及び太陽熱温水装置の少なくとも一つ以上を備えて構成される。例えば、コージェネレーション装置は、熱と電気とを併せて発生させる装置である。例えば、コージェネレーション装置は、燃料電池を備えて構成され、その燃料電池で発生される電気と熱とを利用するタイプの装置や、エンジンとそのエンジンによって駆動される発電機とを備えて構成され、その発電機から出力される発電電力とエンジンから排出される熱とを利用するタイプの装置などである。
【００３０】
第２加熱機器４０は、熱消費用熱媒を加熱可能な第２加熱部４１と、第２加熱部４１よりも下流側で熱消費用熱媒の温度を測定する第１温度測定手段としての温度センサＴ１とを有する。加えて、第２加熱機器４０は、それ自身の動作を制御する第２制御部Ｃ２を有する。温度センサＴ１の測定結果は第２制御部Ｃ２に伝達される。
【００３１】
本実施形態では、第２加熱機器４０には、熱消費用熱媒循環路Ｌ１に接続される熱消費用熱媒第２流路Ｌ３が設けられる。この熱消費用熱媒第２流路Ｌ３は、熱消費用熱媒循環路Ｌ１を経由して第２加熱機器４０の流入部４２に供給された熱消費用熱媒が、第２加熱部４１を経由して流出部４３から熱消費用熱媒循環路Ｌ１に流出するまでの間に流れる流路である。また、熱消費用熱媒第２流路Ｌ３の途中にはポンプＰ３が設けられており、このポンプＰ３により熱消費用熱媒循環路Ｌ１及び熱消費用熱媒第１流路Ｌ２及び熱消費用熱媒第２流路Ｌ３での熱消費用熱媒の流動が行われる。ポンプＰ３の動作は第２制御部Ｃ２が制御する。
【００３２】
第２加熱機器４０は、燃焼式給湯暖房機及び電気ヒータの少なくとも一つ以上を備えて構成される。燃焼式給湯暖房機は、ガスなどの燃料を燃焼した際に発生する熱を、湯や熱媒の加熱に利用させる装置である。電気ヒータは、通電により発生するジュール熱を、湯や熱媒の加熱に利用させる装置である。本実施形態の場合、第２加熱機器４０の第２加熱部が、燃焼式給湯暖房機及び電気ヒータなどで得られる熱により熱消費用熱媒を加熱可能に構成されている。
【００３３】
本実施形態では、第１加熱機器２０は、第１加熱部２１に供給する第１熱媒の温度を、調節可能な範囲で目標温度に調節する。具体的には、第１加熱機器２０の第１制御部Ｃ１は、温度センサＴ４で測定される湯水の温度、即ち、第１加熱部２１に供給する湯水（第１熱媒）の温度が、調節可能な範囲で目標温度になるようにポンプＰ２の動作を制御する。
以下ではまず、湯水（第１熱媒）を目標温度に調節可能である場合について説明する。
この場合、第１加熱機器２０は、第１熱媒としての湯水が第１熱源部Ｈと第１加熱部２１との間で循環する湯水循環路２５（第１熱媒循環路）と、湯水循環路２５で湯水を循環させる循環手段としてのポンプＰ２を有し、第１加熱部２１に供給する湯水（第１熱媒）の温度が目標温度になるようにポンプＰ２の動作を制御するように構成されている。この目標温度は、第２加熱機器４０から熱消費端末１０に熱消費用熱媒を供給するときに目標とする温度である。例えば、目標温度は、熱消費端末１０毎に設定されており、床暖房装置であれば例えば４０℃、浴室暖房乾燥機であれば８０℃、デシカント空調機であれば８０℃といった値に予め定められている。そして、例えば第１加熱機器２０の設置時に、設置者などが第１加熱機器２０に搭載されているメモリ（図示せず）などにこの目標温度についての情報を予め記憶させておけば、第１制御部Ｃ１はその情報を読み出して利用できる。
【００３４】
第１加熱部２１では、湯水循環路２５を流れる湯水（第１熱媒）と熱消費用熱媒第１流路Ｌ２を流れる熱消費用熱媒とが熱交換する。その結果、湯水によって熱消費用熱媒の昇温が行われる。そして、第１加熱部２１で昇温された熱消費用熱媒は、流出部３４から熱消費用熱媒循環路Ｌ１に供給されて、その後、第２加熱機器４０へと至る。
【００３５】
第２加熱機器４０は、熱消費端末１０が運転されているとき、温度センサＴ１で測定される熱消費用熱媒の温度が目標温度になるように加熱作動する。例えば、リモコン装置（図示せず）などによって熱消費端末１０の運転開始が指令されると、その指令は第２加熱機器４０の第２制御部Ｃ２に伝達される。そして、第２制御部Ｃ２は第２加熱機器４０が有するポンプＰ３を動作させて熱消費用熱媒の流動を開始させる。加えて、上述したのと同様に、第２加熱機器４０に搭載されているメモリ（図示せず）などにもこの目標温度についての情報が予め記憶されており、第２制御部Ｃ２はその情報を読み出して利用する。
従って、第２制御部Ｃ２は、運転開始が指令された各熱消費端末１０に応じた目標温度を設定できる。そして、本実施形態では、第２制御部Ｃ２は、熱消費端末１０が運転されているとき、温度センサＴ１で測定される熱消費用熱媒の温度が目標温度になるように第２加熱部４１を加熱作動させる。
尚、図示は省略するが、予め定められた或る目標温度が相対的に高い熱消費端末１０に熱消費用熱媒を供給する熱消費用熱媒の流出部４３と、予め定められた或る目標温度が相対的に低い熱消費端末１０に熱消費用熱媒を供給する熱消費用熱媒の流出部４３は、２つに分かれており、前者の流出部４３には第２加熱部４１で加熱した熱消費用熱媒をそのまま供給し、後者の流出部４３には第２加熱部４１の加熱後と加熱前の熱消費用熱媒を混合して供給することにより、２つの目標温度に同時に対応することができる。具体的には、例えば、相対的に高い或る目標温度の熱消費端末１０へは、熱消費用熱媒が、ポンプＰ３、熱消費用熱媒第２流路Ｌ３、第２加熱部４１、熱消費用熱媒第２流路Ｌ３、温度センサＴ１、一方側の流出部４３、熱消費用熱媒循環路Ｌ１の順に供給されるように構成されている。また、相対的に低い或る目標温度の熱消費端末１０へは、熱消費用熱媒が、ポンプＰ３、熱消費用熱媒第２流路Ｌ３、第２加熱部４１、熱消費用熱媒第２流路Ｌ３、温度センサＴ１、他方側の流出部４３、熱消費用熱媒循環路Ｌ１の順に供給されるが、ポンプＰ３を通過して熱消費用熱媒第２流路Ｌ３を通流する熱消費用熱媒の一部は加熱部４１を介して温度センサＴ１側へ供給され、当該熱消費用熱媒の他部は加熱部４１を介さずに温度センサＴ１側へ供給されるように構成されている。これにより、熱消費端末１０が、相対的に低い或る目標温度の熱消費端末１０及び相対的に高い或る目標温度の熱消費端末１０を備えている場合でも、熱消費用熱媒を第２加熱機器４０において各熱消費端末１０に応じた目標温度に適切に加熱した状態で供給することができる。
【００３６】
以上のように、第２加熱機器４０は、第１温度測定手段としての温度センサＴ１が測定する加熱後の熱消費用熱媒の温度がその目標温度になるように加熱作動する。つまり、第２加熱機器４０は、熱消費用熱媒を第２加熱部４１で加熱する必要があるか否かを自身で判断して、熱消費端末１０に対して目標温度の熱消費用熱媒が供給されるように動作できる。
加えて、第１加熱機器２０では、第１加熱部２１において、第１熱源部Ｈから供給される熱により目標温度に調節された湯水（第１熱媒）と熱消費用熱媒循環路Ｌ１を通って熱消費端末１０から流れてきた熱消費用熱媒との熱交換が行われる。つまり、第１加熱部２１において、熱消費用熱媒は目標温度の湯水と熱交換するので、その熱交換後の熱消費用熱媒の温度は目標温度に近い温度になる。その結果、目標温度に近い温度の熱消費用熱媒が、第１加熱機器２０から第２加熱機器４０へと熱消費用熱媒循環路Ｌ１を通って供給され、上述したように第２加熱機器４０において必要に応じて熱消費用熱媒の加熱が行われるようになる。
次に、湯水（第１熱媒）を目標温度に調節可能でない場合について説明する。調節可能でない場合とは、例えば、目標温度が８０℃であっても、第１熱源部Ｈの温度やポンプＰ２の出力下限などが制約となって、第１加熱部２１に供給する湯水（第１熱媒）の温度を８０℃まで上昇させられない場合のことである。この場合、第１加熱部２１において、熱消費用熱媒は目標温度に達しない湯水（第１熱媒）と熱交換するので、その熱交換後の熱消費用熱媒の温度は目標温度に達しない温度になる。その結果、目標温度に達しない温度の熱消費用熱媒が、第１加熱機器２０から第２加熱機器４０へと熱消費用熱媒循環路Ｌ１を通って供給され、上述したように第２加熱機器４０において目標温度まで熱消費用熱媒の加熱が行われるようになる。
従って、第１加熱機器２０及び第２加熱機器４０が互いにどのような熱媒の加熱制御を行っているのかを知ることができなくても、熱消費端末１０に対して適切な温度の熱媒を供給できる。また、例えば、第２加熱機器４０と熱消費端末１０とが既に設置されている場所に、第２加熱機器４０と情報のやり取りを行うことができない第１加熱機器２０を追加で設置することになっても、熱消費端末１０に対して適切な温度の熱媒を供給できる。
【００３７】
＜第２実施形態＞
第２実施形態の熱媒加熱システムは、熱消費端末１０に供給する熱消費用熱媒の温度の制御手法が上記第１実施形態と異なっている。以下に第２実施形態の熱媒加熱システムについて説明するが上記第１実施形態と同様の構成については説明を省略する。
【００３８】
図２は、第２実施形態の熱媒加熱システムの構成を示す図である。
一年の中には、予め定められた或る目標温度が相対的に低い熱消費端末１０での熱消費量が発生する低温時季が存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００３９】
そこで、本実施形態では、第１加熱機器２０は、予め定められた或る目標温度が相対的に低い熱消費端末１０での熱消費量が発生する低温時季であるか否かを判定する低温時季判定手段３８（時季判定手段の一例）を有する。なお、図２においては、単に時季判定手段３８と記載する。具体的には、低温時季判定手段３８は、暦上の現在の月日に基づいて、予め定められた相対的に高い或る目標温度よりも相対的に低い或る目標温度の熱消費端末１０での熱消費量が発生する低温時季であるか否かを判定する。例えば、低温時季判定手段３８は、暦上の現在の月日が１月〜４月及び１０月〜１２月であれば、上記床暖房装置などの熱消費端末１０での熱消費量が発生する低温時季であると判定し、暦上の現在の月日が５月〜９月であれば、上記床暖房装置などの熱消費端末１０での熱消費量が発生する低温時季ではないと判定する。
【００４０】
そして、低温時季判定手段３８の判定結果は第１制御部Ｃ１に伝達され、第１制御部Ｃ１は、低温時季判定手段３８によって、低温時季であると判定されている間、第１加熱部２１に供給する第１熱媒の温度を、調節可能な範囲で相対的に低い或る目標温度に調節し、低温時季判定手段３８によって、低温時季ではないと判定されている間、第１加熱部２１に供給する第１熱媒の温度を、調節可能な範囲で相対的に高い或る目標温度に調節する。
具体的には、第１加熱機器２０の第１制御部Ｃ１は、温度センサＴ４で測定される湯水の温度、即ち、第１加熱部２１に供給する湯水（第１熱媒）の温度が、低温時季判定手段３８によって低温時季であると判定されている間は調節可能な範囲で相対的に低い或る目標温度になるようにポンプＰ２の動作を制御し、低温時季判定手段３８によって低温時季ではないと判定されている間は調節可能な範囲で相対的に高い或る目標温度になるようにポンプＰ２の動作を制御する。
これにより、低温時季であると判定されている間は、第１熱媒が相対的に高い目標温度に調節されることがなくなり、熱消費用熱媒を相対的に高い目標温度まで加熱（過加熱）することを防ぐことができ、低温時季ではないと判定されている間は、第１熱媒が相対的に高い目標温度に調節されるため、適切に熱消費用熱媒を相対的に高い目標温度まで加熱することができる。
【００４１】
＜第３実施形態＞
第３実施形態の熱媒加熱システムは、熱消費端末１０に供給する熱消費用熱媒の温度の制御手法が上記第１及び第２実施形態と異なっている。以下に第３実施形態の熱媒加熱システムについて説明するが上記第１及び第２実施形態と同様の構成については説明を省略する。
【００４２】
図３は、第３実施形態の熱媒加熱システムの構成を示す図である。
一年の中には、予め定められた或る目標温度よりも低い別の目標温度の熱消費端末１０での熱消費量が大きくなる時季と小さくなる時季とが存在する。例えば、熱消費端末１０には、上述のように床暖房装置や浴室暖房乾燥機やデシカント空調機などがある。その内、冬季に暖房目的で運転される床暖房装置については、人に対して床材などを介して熱消費用熱媒が間接的に接する端末であって、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００４３】
本実施形態では、第１加熱機器２０は、熱消費用熱媒循環路Ｌ１を通って熱消費端末１０から流れてきた熱消費用熱媒を第１加熱部２１を迂回して第２加熱機器４０へ流すことのできるバイパス流路３５と、熱消費用熱媒を全て第１加熱部２１を経由して流す状態、又は、熱消費用熱媒を全てバイパス流路３５を経由して流す状態に切り替える流路切替機構３７と、予め定められた或る目標温度よりも低い別の目標温度の熱消費端末１０での熱消費量が大きくなる時季であるか否かを判定する時季判定手段３８とを有する。
【００４４】
本実施形態では、流路切替機構３７は、第１加熱部２１を経由して流れた熱消費用熱媒とバイパス流路３５を経由して流れた熱消費用熱媒との合流部３０に設けられた切替弁などを用いて構成される。この流路切替機構３７の動作は第１加熱機器２０の第１制御部Ｃ１が制御する。
【００４５】
そして、時季判定手段３８の判定結果は第１加熱機器２０の第１制御部Ｃ１に伝達され、第１制御部Ｃ１は、流路切替機構３７が、時季判定手段３８によって、予め定められた或る目標温度よりも低い別の目標温度の熱消費端末１０での熱消費量が大きくなる時季である（例えば冬季など）と判定されている間、熱消費用熱媒を全て第１加熱部２１を経由して流す状態に切り替わり、時季判定手段３８によって、予め定められた或る目標温度よりも低い別の目標温度の熱消費端末１０での熱消費量が大きくなる時季ではない（例えば冬季以外の時季など）と判定されている間、熱消費用熱媒を全てバイパス流路３５を経由して流す状態に切り替わるように動作させる。つまり、例えば冬季以外の時季などには、熱消費端末１０に供給する熱消費用熱媒の加熱は第２加熱機器４０の第２加熱部４１のみによって行われ、例えば冬季などの時季には、熱消費端末１０に供給する熱消費用熱媒の加熱は第１加熱機器２０の第１加熱部２１及び第２加熱機器４０の第２加熱部４１の両方によって行われる。
【００４６】
尚、流路切替機構３７が熱消費用熱媒を全て第１加熱部２１を経由して流す状態に切り替わっている間は、第１加熱部２１において湯水（第１熱媒）を用いた熱消費用熱媒の加熱が行われるが、そのときの制御は上記第１実施形態で示したのと同様である。
【００４７】
＜第４実施形態＞
第４実施形態の熱媒加熱システムは、流路切替機構３７の動作及び時季判定手段３８の動作が上記第３実施形態と異なっている。以下に第４実施形態の熱媒加熱システムについて説明するが上記第１、第２及び第３実施形態と同様の構成については説明を省略する。
【００４８】
図３は、第４実施形態の熱媒加熱システムの構成を示す図である。
一年の中には、予め定められた或る目標温度が相対的に低い熱消費端末１０での熱消費量が発生する低温時季が存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００４９】
そこで、本実施形態では、第１加熱機器２０は、予め定められた或る目標温度が相対的に低い熱消費端末１０での熱消費量が発生する低温時季であるか否かを判定する低温時季判定手段３８（時季判定手段の一例）を有する。なお、図３においては、単に時季判定手段３８と記載する。具体的には、低温時季判定手段３８は、暦上の現在の月日に基づいて、予め定められた相対的に高い或る目標温度よりも相対的に低い或る目標温度の熱消費端末１０での熱消費量が発生する低温時季であるか否かを判定する。例えば、低温時季判定手段３８は、暦上の現在の月日が１月〜４月及び１０月〜１２月であれば、上記床暖房装置などの熱消費端末１０での熱消費量が発生する低温時季であると判定し、暦上の現在の月日が５月〜９月であれば、上記床暖房装置などの熱消費端末１０での熱消費量が発生する低温時季ではないと判定する。
【００５０】
そして、低温時季判定手段３８の判定結果は第１制御部Ｃ１に伝達され、第１制御部Ｃ１は、温度センサＴ４で測定される湯水の温度、即ち、第１加熱機器２０が第１加熱部２１に供給する第１熱媒の温度を調節可能な範囲で相対的に高い或る目標温度に調節するように、ポンプＰ２の動作を制御する。なお、相対的に高い或る目標温度は、熱消費端末１０の設置時等に第１加熱機器２０のメモリ等に記憶等することにより予め設定しておき、第１加熱部２１での加熱の目標温度として用いることができる。
また、第１制御部Ｃ１は、流路切替機構３７が、低温時季判定手段３８によって低温時季であると判定されている間、熱消費用熱媒を全てバイパス流路３５を経由して流す状態に切り替わり、低温時季ではないと判定されている間、熱消費用熱媒を全て第１加熱部２１を経由して流す状態に切り替わるように動作させる。
これにより、低温時季であると判定されている間、相対的に高い目標温度に調節された第１熱媒により、熱消費用熱媒を相対的に高い目標温度まで加熱（過加熱）することを防ぐことができる。
【００５１】
＜第５実施形態＞
第５実施形態の熱媒加熱システムは、流路切替機構３７の動作及び時季判定手段３８の動作が上記第３及び第４実施形態と異なっている。以下に第５実施形態の熱媒加熱システムについて説明するが上記第１、第２、第３及び第４実施形態と同様の構成については説明を省略する。
【００５２】
図３は、第５実施形態の熱媒加熱システムの構成を示す図である。
一年の中には、予め定められた或る目標温度が相対的に低い熱消費端末１０での熱消費量が発生する低温時季が存在する。例えば、熱消費端末１０には、上述のように床暖房装置や浴室暖房乾燥機やデシカント空調機などがある。その内、冬季に暖房目的で運転される床暖房装置については、供給する熱消費用熱媒の目標温度が相対的に低く（例えば４０℃等）設定されている。それに対して、ほぼ一年を通して運転される浴室暖房乾燥機やデシカント空調機については、供給する熱消費用熱媒の目標温度が相対的に高く（例えば８０℃等）設定されている。
【００５３】
そこで、本実施形態では、第１加熱機器２０は、予め定められた或る目標温度が相対的に低い熱消費端末１０での熱消費量が発生する低温時季であるか否かを判定する低温時季判定手段３８（時季判定手段の一例）を有する。なお、図３においては、単に時季判定手段３８と記載する。具体的には、低温時季判定手段３８は、暦上の現在の月日に基づいて、予め定められた相対的に高い或る目標温度よりも相対的に低い或る目標温度の熱消費端末１０での熱消費量が発生する低温時季であるか否かを判定する。例えば、低温時季判定手段３８は、暦上の現在の月日が１月〜４月及び１０月〜１２月であれば、上記床暖房装置などの熱消費端末１０での熱消費量が発生する低温時季であると判定し、暦上の現在の月日が５月〜９月であれば、上記床暖房装置などの熱消費端末１０での熱消費量が発生する低温時季ではないと判定する。
【００５４】
そして、低温時季判定手段３８の判定結果は第１制御部Ｃ１に伝達され、第１制御部Ｃ１は、温度センサＴ４で測定される湯水の温度、即ち、第１加熱機器２０が第１加熱部２１に供給する第１熱媒の温度を調節可能な範囲で相対的に低い或る目標温度に調節するように、ポンプＰ２の動作を制御する。なお、相対的に低い或る目標温度は、熱消費端末１０の設置時等に第１加熱機器２０のメモリ等に記憶等することにより予め設定しておき、第１加熱部２１での加熱の目標温度として用いることができる。
また、第１制御部Ｃ１は、流路切替機構３７が、低温時季判定手段３８によって低温時季であると判定されている間、熱消費用熱媒を全て第１加熱部２１を経由して流す状態に切り替わり、低温時季ではないと判定されている間、熱消費用熱媒を全てバイパス流路３５を経由して流す状態に切り替わるように動作させる。
これにより、低温時季ではないと判定されている間、相対的に高い目標温度の熱消費用熱媒により、相対的に低い目標温度に調節された第１熱媒を加熱（逆加熱）することを防ぐことができる。
【００５５】
＜第６実施形態＞
第６実施形態の熱媒加熱システムは、流路切替機構３７の動作が上記第３〜第５実施形態と異なっている。以下に第６実施形態の熱媒加熱システムについて説明するが上記第１〜第５実施形態と同様の構成については説明を省略する。
【００５６】
図４は、第６実施形態の熱媒加熱システムの構成を示す図である。
例えば、熱消費端末１０が、上述した浴室暖房乾燥機（浴室そのものや衣類などを乾燥させる運転モード）やデシカント空調機である場合、時季に関わらずその熱消費量は大きくなる。そのため、夏季であっても、第１加熱機器２０の第１加熱部２１及び第２加熱機器４０の第２加熱部４１の両方で熱消費用熱媒を加熱することが好ましい場合が存在する。
【００５７】
本実施形態では、第１加熱機器２０は、ユーザーが、熱消費用熱媒を全て第１加熱部２１を経由して流す状態、又は、熱消費用熱媒を全てバイパス流路３５を経由して流す状態に切り替えるかを入力可能なバイパス切替入力手段３９を有する。バイパス切替入力手段３９は、ユーザーが手動操作可能なスイッチなどを用いて実現できる。また、第１加熱機器２０は、第３実施形態で説明した時季判定手段３８又は第２、第４及び第５のいずれかで説明した低温時季判定手段３８を有する。
【００５８】
そして、時季判定手段３８又は低温時季判定手段３８の判定結果及びバイパス切替入力手段３９へのユーザの入力結果は第１加熱機器２０の第１制御部Ｃ１に伝達され、第１制御部Ｃ１は、流路切替機構３７が、時季判定手段３８又は低温時季判定手段３８の判定結果よりも、バイパス切替入力手段３９により行われたユーザー入力を優先して、熱消費用熱媒を全て第１加熱部２１を経由して流す状態、又は、熱消費用熱媒を全てバイパス流路３５を経由して流す状態に切り替わるよう動作させる。その結果、熱消費用端末に供給する熱消費用熱媒の加熱を、第１加熱機器２０の第１加熱部２１及び第２加熱機器４０の第２加熱部４１の両方で行うことができる状態と、第２加熱機器４０の第２加熱部４１のみで行うことができる状態とを切り替えることができる。
尚、ユーザーがバイパス切替入力手段３９を用いて何れの入力も行っていない場合、即ち、熱消費用熱媒を全て第１加熱部２１を経由して流す状態に切り替えること、及び、熱消費用熱媒を全てバイパス流路３５を経由して流す状態に切り替えることの何れも入力していない場合、第１制御部Ｃ１は、時季判定手段３８又は低温時季判定手段３８の判定結果に従った制御を行う。
【００５９】
＜第７実施形態＞
第７実施形態の熱媒加熱システムは、時季判定手段３８の動作が上記第３実施形態〜第６実施形態と異なっている。以下に第７実施形態の熱媒加熱システムについて説明するが上記第１、第３〜第６実施形態と同様の構成については説明を省略する。
【００６０】
図５は、第７実施形態の熱媒加熱システムの構成を示す図であり、第３〜第６実施形態の改変例である。
本実施形態では、第１加熱機器２０は、外気温との相関を有する温度情報を取得する外気温相関情報取得手段１を更に有する。そして、第１加熱機器２０が有する時季判定手段３８は、外気温相関情報取得手段１が取得した温度情報に基づいて、予め定められた或る目標温度よりも低い別の目標温度の熱消費端末１０での熱消費量が大きくなる時季（例えば冬季など）であるか否かを判定する。例えば、外気温相関情報取得手段１が第１加熱機器２０の内部又は外部の温度情報（気温、ガス温、水温など）を取得する場合、時季判定手段３８は、外気温相関情報取得手段１が取得した上記温度情報に基づき推定される外気温が例えば１５℃以下であれば、予め定められた或る目標温度よりも低い別の目標温度の熱消費端末１０での熱消費量が大きくなる時季であると判定し、推定される外気温が例えば１５℃より高ければ、予め定められた或る目標温度よりも低い別の目標温度の熱消費端末１０での熱消費量が大きくなる時季ではないと判定するといった動作を行う。
【００６１】
そして、時季判定手段３８の判定結果は第１制御部Ｃ１に伝達され、第１制御部Ｃ１は、流路切替機構３７が、時季判定手段３８によって、例えば床暖房装置など、予め定められた或る目標温度よりも低い別の目標温度の熱消費端末１０での熱消費量が大きくなる時季ではないと判定されている間、熱消費用熱媒を全てバイパス流路３５を経由して流す状態に切り替わるように動作させる。それに対して、第１制御部Ｃ１は、流路切替機構３７が、時季判定手段３８によって、例えば床暖房装置など、予め定められた或る目標温度よりも低い別の目標温度の熱消費端末１０での熱消費量が大きくなる時季であると判定されている間、熱消費用熱媒を全て第１加熱部２１を経由して流す状態に切り替わるように動作させる。
【００６２】
また、本実施形態では、第１加熱機器２０は時季判定手段３８として低温時季判定手段３８（時季判定手段の一例）を有していてもよい。なお、図５においては、単に時季判定手段３８と記載する。低温時季判定手段３８は、外気温相関情報取得手段１が取得した温度情報に基づいて、予め定められた或る目標温度が相対的に低い熱消費端末１０での熱消費量が発生する低温時季であるか否かを判定する。例えば、外気温相関情報取得手段１が第１加熱機器２０の内部又は外部の温度情報（気温、ガス温、水温など）を取得する場合、低温時季判定手段３８は、外気温相関情報取得手段１が取得した上記温度情報に基づき推定される外気温が例えば１５℃以下であれば、低温時季であると判定し、推定される外気温が例えば１５℃より高ければ、低温時季ではないと判定するといった動作を行う。
【００６３】
そして、低温時季判定手段３８の判定結果は第１制御部Ｃ１に伝達され、第１制御部Ｃ１は、温度センサＴ４で測定される湯水の温度、即ち、第１加熱機器２０が第１加熱部２１に供給する第１熱媒の温度を調節可能な範囲で相対的に高い或る目標温度に調節するように、ポンプＰ２の動作を制御する。なお、相対的に高い或る目標温度は、熱消費端末１０の設置時等に第１加熱機器２０のメモリ等に記憶等することにより予め設定しておき、第１加熱部２１での加熱の目標温度として用いることができる。
また、第１制御部Ｃ１は、流路切替機構３７が、低温時季判定手段３８によって低温時季であると判定されている間、熱消費用熱媒を全てバイパス流路３５を経由して流す状態に切り替わり、低温時季ではないと判定されている間、熱消費用熱媒を全て第１加熱部２１を経由して流す状態に切り替わるように動作させる。
【００６４】
尚、図示は省略するが、第６実施形態においても、時季判定手段３８が、外気温相関情報取得手段１が取得した温度情報に基づいて、例えば床暖房装置など、予め定められた或る目標温度よりも低い別の目標温度の熱消費端末１０での熱消費量が大きくなる時季であるか否かを判定するように構成してもよい。また、同様に、第５及び第６実施形態においても、低温時季判定手段３８が、外気温相関情報取得手段１が取得した温度情報に基づいて、予め定められた或る目標温度が相対的に低い熱消費端末１０での熱消費量が発生する低温時季であるか否かを判定するように構成してもよい。
【００６５】
＜別実施形態＞
＜１＞
上記実施形態では、本発明の熱媒加熱システムの構成について具体例を挙げて説明したが、その構成は適宜変更可能である。
例えば、第１加熱機器２０及び第２加熱機器４０の構成は図示したものに限定されず適宜変更可能である。
【００６６】
＜２＞
上記実施形態では、熱消費端末１０での目標温度について具体的な数値を挙げて説明したが、それらの数値は例示目的で記載したものであり適宜変更可能である。
【００６７】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００６８】
本発明は、第１加熱機器及び第２加熱機器が互いにどのような熱媒の加熱制御を行っているのかを知ることができなくても、熱消費端末に対して適切な温度の熱媒を供給できる熱媒加熱システムに利用できる。
【符号の説明】
【００６９】
１  外気温相関情報取得手段
１０  熱消費端末
２０  第１加熱機器
２１  第１加熱部
２５  湯水循環路
３５  バイパス流路
３７  流路切替機構
３８  時季判定手段
３９  バイパス切替入力手段
４０  第２加熱機器
４１  第２加熱部
Ｌ１  熱消費用熱媒循環路
Ｈ  第１熱源部
Ｔ１  温度センサ（第１温度測定手段）
【手続補正３】
【補正対象書類名】図面
【補正対象項目名】全図
【補正方法】変更
【補正の内容】
【図１】
2019020114.tif 000012
【図２】
2019020114.tif 000013
【図３】
2019020114.tif 000014
【図４】
2019020114.tif 000015
【図５】
2019020114.tif 000016